(57)【要約】      （修正有）【課題】１つまたは複数の性質を改善するように設計または構成されたゴルフクラブヘッドを提供する。【解決手段】ゴルフクラブヘッド１００はアーチ形のポート構造部３３０およびチューニング・エレメント１５０を備える。【選択図】図１０
2018149338.tif 000002
【特許請求の範囲】
【請求項１】
ゴルフクラブヘッドであって、
ストライク部分と、リア部分と、ポート構造部と、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記リア部分は、前記ストライク部分のボトム・エンドにおいて前記ストライク部分に連結されており、
前記ポート構造部は、前記リア部分の中に少なくとも部分的に画定されており、スロット開口部からスロット・ベースへ延在するスロットを有しており、
前記ストライク部分の前記ボトム・エンドは、前記スロット開口部よりも前記スロット・ベースの近くに位置しており、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記ストライクフェイスは、前記リア壁部よりも前記フロント壁部の近くに位置する、ゴルフクラブヘッド。
【請求項２】
前記第１のフロント壁部カーブは、第１の半径を有する第１の円形の一部分を含み、
前記第１のリア壁部カーブは、第２の半径を有する第２の円形の一部分を含み、
前記第１の円形および前記第２の円形は、おおよそ同心円状になっている、請求項１に記載のゴルフクラブヘッド。
【請求項３】
前記第２の半径は、前記第１の半径よりも小さい、請求項２に記載のゴルフクラブヘッド。
【請求項４】
前記第２の半径は、約１．２７ｃｍから約３．８１ｃｍである、請求項２または３に記載のゴルフクラブヘッド。
【請求項５】
前記バックフェイスは、少なくとも部分的に凹形である、請求項１から４のいずれか一項に記載のゴルフクラブヘッド。
【請求項６】
前記ヒール壁部と前記トウ壁部との間の前記フロント壁部の中間部分は、前記第１の方向に沿って、前記ヒール壁部と前記トウ壁部との間の前記リア壁部の中間部分からおおよそ一定の距離である、請求項１から５のいずれか一項に記載のゴルフクラブヘッド。
【請求項７】
前記フロント壁部は、前記第１の方向に対して垂直であるとともに前記ヒール壁部と前記トウ壁部との間を伸びる第２の方向に沿って、第２のフロント壁部カーブを含む、請求項１から６のいずれか一項に記載のゴルフクラブヘッド。
【請求項８】
前記リア壁部は、前記第１の方向に対して垂直であるとともに前記ヒール壁部と前記トウ壁部との間を伸びる第２の方向に沿って、おおよそ真っ直ぐになっている、請求項１から６のいずれか一項に記載のゴルフクラブヘッド。
【請求項９】
前記フロント壁部は、前記ヒール壁部および前記トウ壁部において、前記ヒール壁部と前記トウ壁部との間の中間点よりも、前記リア壁部から短い距離である、請求項１から８のいずれか一項に記載のゴルフクラブヘッド。
【請求項１０】
前記ヒール壁部は、前記リア壁部に対して９０度よりも大きい角度であり、
前記トウ壁部は、前記リア壁部に対して９０度よりも大きい角度である、請求項１から９のいずれか一項に記載のゴルフクラブヘッド。
【請求項１１】
前記ストライクフェイスと前記フロント壁部との間の距離は、前記スロット開口部よりも前記スロット・ベースにおいて、大きくなっている、請求項１から１０のいずれか一項に記載のゴルフクラブヘッド。
【請求項１２】
前記ポート構造部は、前記スロット開口部において、前記フロント壁部、前記リア壁部、前記ヒール壁部、および前記トウ壁部を越えて延在するキャップ凹部を含む、請求項１から１１のいずれか一項に記載のゴルフクラブヘッド。
【請求項１３】
前記ポート構造部の中に、前記ポート構造部と実質的に一致して位置するチューニング・エレメントをさらに備える、請求項１から１２のいずれか一項に記載のゴルフクラブヘッド。
【請求項１４】
前記チューニング・エレメントは、約２．５４ｃｍから約７．６２ｃｍのヒール・トゥー・トウ長さを含む、請求項１３に記載のゴルフクラブヘッド。
【請求項１５】
前記チューニング・エレメントは、約０．２５４ｃｍから約２．５４ｃｍの高さを含む、請求項１３または１４に記載のゴルフクラブヘッド。
【請求項１６】
前記チューニング・エレメントは、フロント・トゥー・リア厚さを含み、
前記ヒール壁部および前記トウ壁部における前記フロント・トゥー・リア厚さは、前記ヒール壁部と前記トウ壁部との間の中間点における前記フロント・トゥー・リア厚さよりも小さくなっており、
前記ヒール壁部および前記トウ壁部における前記フロント・トゥー・リア厚さは、約０．０６３５ｃｍ以上になっており、
前記ヒール壁部と前記トウ壁部との間の前記中間点における前記フロント・トゥー・リア厚さは、約１．２７ｃｍ以下になっている、請求項１３から１５のいずれか一項に記載のゴルフクラブヘッド。
【請求項１７】
前記チューニング・エレメントは、前記スロットを越えて延在するキャップを含み、前記キャップは、前記フロント壁部、前記リア壁部、前記ヒール壁部、および前記トウ壁部を越えて延在する前記スロット開口部において、キャップ凹部の中に着座させられる、請求項１３から１６のいずれか一項に記載のゴルフクラブヘッド。
【請求項１８】
前記チューニング・エレメントは、１つの配向にだけ、前記ポート構造部の中へ挿入され得る、請求項１３から１７のいずれか一項に記載のゴルフクラブヘッド。
【請求項１９】
前記チューニング・エレメントは、前記リア部分または前記ストライク部分とは異なる材料を含む、請求項１３から１８のいずれか一項に記載のゴルフクラブヘッド。
【請求項２０】
ゴルフクラブヘッドを提供する方法であって、
ストライク部分を提供するステップと、
前記ストライク部分のボトム・エンドにおいて前記ストライク部分に連結されているリア部分を提供するステップと、
ポート構造部を提供するステップと、
チューニング・エレメントを前記ポート構造部に連結するステップと、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記ポート構造部は、前記リア部分の中に少なくとも部分的に画定されており、スロット開口部からスロット・ベースへ延在するスロットを有しており、
前記ストライク部分の前記ボトム・エンドは、前記スロット開口部よりも前記スロット・ベースの近くに位置し、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記ストライクフェイスは、前記リア壁部よりも前記フロント壁部の近くに位置する、ゴルフクラブヘッドを提供する方法。
【発明の詳細な説明】
【技術分野】
【０００１】
本出願は、２０１４年２月１７日に出願された米国特許仮出願第６１／９４０，８３１号の利益を主張する。米国特許仮出願第６１／９４０，８３１号は、その全体が参照により本明細書に組み込まれている。
【０００２】
本開示は、一般に、スポーツ器具に関し、より詳細には、ゴルフクラブヘッドおよび関連の方法に関する。
【背景技術】
【０００３】
ゴルフクラブヘッドは、それらのそれぞれのゴルフクラブヘッドの１つまたは複数の性質を改善するように設計または構成され得るさまざまな特徴を含むことが多い。たとえば、チューニング・エレメントを加え、ゴルフボールとのインパクトのときの衝撃振動を調節または制限する、および／または、ゴルフクラブヘッドのいくつかの特徴を強化することができる。しかし、そのようなチューニング・エレメントを加えることは、余剰の質量を加えること、１つまたは複数の望ましくない場所に向けて、ゴルフクラブヘッドの重心を再位置決めすること、および／または、ゴルフクラブヘッドの耐久性を減少させることによってなど、ゴルフクラブヘッドのいくつかの他の性質に悪影響を与える可能性がある。さらに、チューニング・エレメントのための特定のポート構造部を有するゴルフクラブヘッドを製造することは、複雑なプロセスを必要とする可能性がある。さらに、チューニング・エレメントは、さまざまなポート構造部設計および／またはチューニング・エレメント設計において、ポート構造部から不注意に外される可能性がある場合がある。したがって、ゴルフクラブ・チューニング・エレメントの位置決めに関するさらなる開発が、ゴルフクラブの性能および／または製造可能性を向上させる可能性がある。
【図面の簡単な説明】
【０００４】
実施形態のさらなる説明を容易にするために、以下の図面が提供される。
【０００５】
【図１】実施形態による、チューニング・エレメントを備えるゴルフクラブヘッドのヒール側のボトムの背面斜視図を図示する図である。
【０００６】
【図２】図１のチューニング・エレメントを備える図１のゴルフクラブヘッドのボトムの背面図を図示する図である。
【０００７】
【図３】図１のゴルフクラブヘッドの側断面図を図示しており、その断面図は、図２の中のおよび断面線３−３に沿ってとられており、図３のゴルフクラブヘッドは、図１のチューニング・エレメントなしの状態であることを示す図である。
【０００８】
【図４】図１のゴルフクラブヘッドの側断面図を図示しており、その断面図は、図２の中の断面線３−３に沿ってとられており、図４のゴルフクラブヘッドは、曲率半径とともに、図１のチューニング・エレメントなしで示されている図である。
【０００９】
【図５】図１のゴルフクラブヘッドの側断面図を図示しており、その断面図は、図２の断面線５−５に沿ってとられており、図５のゴルフクラブヘッドは、図１のチューニング・エレメントなしで示されている図である。
【００１０】
【図６】図１のゴルフクラブヘッドのためのチューニング・エレメントの側面図を図示する図である。
【００１１】
【図７】図１のチューニング・エレメントの背面図を図示する図である。
【００１２】
【図８】図１のチューニング・エレメントの上面図を図示する図である。
【００１３】
【図９】図１のチューニング・エレメントを備える図１のゴルフクラブヘッドの、図２の中の線３−３に沿った側断面図を図示する図である。
【００１４】
【図１０】図１のチューニング・エレメントを備える図１のゴルフクラブヘッドの、図２の中の線３−３に沿った、側部、ボトム、リアの斜視断面図を図示する図である。
【００１５】
【図１１】図１のチューニング・エレメントを備える図１のゴルフクラブヘッドの、図２の中の線３−３に沿った側断面図を図示しており、インパクトのときの力垂直線を示す図である。
【００１６】
【図１２】別の実施形態による、ゴルフクラブヘッドを提供する方法に関するフローチャートを図示する図である。
【００１７】
【図１３】別の実施形態による、閉じた構成のモールドを図示する図である。
【００１８】
【図１４】開いた構成の図１３のモールドを図示する図である。
【００１９】
【図１５】別の実施形態による、ゴルフクラブヘッドを形成する方法に関するフローチャートを図示する図である。
【発明を実施するための形態】
【００２０】
例証の簡素性および明確性のために、図表は構造物の概略的様式を例証し、公知の特性および技術の、説明および詳細は、本開示を不必要に曖昧にすることを避けるために、省略され得る。さらに、図表内の要素は、必ずしも正しい縮尺で描かれない。例えば、本開示の実施形態の理解の改善に役立つために、図内の要素のいくつかの寸法は、他の要素に対して誇張されてよい。異なる図における同じ参照番号は、同じ要素を示す。
【００２１】
説明内および請求項内の、「第１の」、「第２の」、「第３の」、「第４の」等の用語は、もしあれば、類似する要素の区別に使用され、必ずしも特定の逐次的または経時的順序の記載に使用されない。そのように使用される用語は、適切な状況下では交換可能であり、よって、本明細書に記載される実施形態は、例えば、本明細書に例証されるまたは他の方法で記載されるものとは異なる順序で操作可能である。さらに、「含む」および「有する」という用語ならびにそれらの任意の変化形は、非排他的包含を網羅することが意図され、よって、要素の一覧を含む、プロセス、方法、システム、物品、デバイス、もしくは装置が、それらの要素に必ずしも限られず、明示的に列記されない、または、かかるプロセス、方法、システム、物品、デバイス、もしくは装置に固有の他の要素を含んでよい。
【００２２】
説明内および請求項内の、「左」、「右」、「前」、「後」、「上部」、「下部」、「〜の上」、「〜の下」等の用語は、もしあれば、説明目的に使用され、必ずしも永久相対位置を説明するために使用されない。そのように使用される用語は、適切な条件下では交換可能であり、よって、本明細書に記載される装置、方法、および／または製造物品の実施形態は、例えば、本明細書に例証されるまたは他の方法で記載されるものとは別の配向で操作可能である。
【００２３】
「連結」、「連結される」、「連結する」、「連結すること」等の用語は、広範に理解されるべきであり、２つ以上の要素を機械的におよび／または別の方法で接続することを指す。２つ以上の機械的要素は、電気的または他の方法で連結されずに、機械的に連結され得る。連結は、任意の長さの時間、例えば、永久もしくは半永久、または瞬間のみ、であってよい。「機械的連結」などは広く解釈されるべきであり、あらゆる種類の機械的に連結を含む。
【００２４】
「連結」等の語の近くの「取り外し可能に」、「取り外し可能」等の語の欠如は、対象の該結合等が、取り外し可能であること、または取り外し可能でないことを意味するものではない。
【００２５】
ここで定義されるように、２つ又はそれ以上の要素は、それらが同一の材料で構成されているとき、「一体」である。ここで定義されるように、２つ又はそれ以上の要素は、各々が異なる材料で構成されているとき、「非一体」である。
【００２６】
ここで定義されるように、いくつかの実施形態において、「約」は表示値に対して±１０％の範囲内を意味し得る。他の実施形態では、「約」は表示値に対して±５％の範囲内を意味し得る。さらに他の実施形態では、「約」は表示値に対して±３％の範囲内を意味し得る。さらに他の実施形態では、「約」は表示値に対して±１％の範囲内を意味し得る。
【実施例】
【００２７】
いくつかの実施形態は、ゴルフクラブヘッドを有する。ゴルフクラブヘッドは、ストライクフェイスと、ストライクフェイスの反対側のバックフェイスと、を有するストライク部分を備える。バックフェイスは、バックフェイスのトップ・エンドに周囲部分を含む。ゴルフクラブヘッドはさらに、ストライク部分のボトム・エンドにおいてストライク部分に連結されるリア部分を備える。ゴルフクラブヘッドは加えて、前記リア部分の中に少なくとも部分的に画定されるポート構造部を備える。ポート構造部は、スロット開口部からスロット・ベースへ延在するスロットを有する。ストライク部分のボトム・エンドは、スロット開口部よりもスロット・ベースの近くに位置する。スロットは、ヒール壁部と、トウ壁部と、を有する。スロットはさらに、スロット開口部からスロット・ベースへ延在しており、ヒール壁部とトウ壁部との間に延在するリア壁部を有する。リア壁部は、スロット開口部とスロット・ベースとの間を伸びる第１の方向に沿って、第１のリア壁部カーブを含む。スロットはさらに、スロット開口部からスロット・ベースへ延在しており、ヒール壁部とトウ壁部との間に延在するフロント壁部を有する。ストライクフェイスは、リア壁部よりもフロント壁部の近くに位置する。フロント壁部は、第１の方向に沿って、第１のフロント壁部カーブを含む。
【００２８】
追加の実施形態は、ゴルフクラブヘッドを提供する方法を有する。方法は、ストライク部分を提供するステップを備える。ストライク部分は、ストライクフェイスと、ストライクフェイスの反対側のバックフェイスと、を有する。バックフェイスは、バックフェイスのトップ・エンドに周囲部分を含む。方法はさらに、ストライク部分のボトム・エンドにおいてストライク部分に連結されているリア部分を提供するステップを備える。方法は加えて、リア部分の中に少なくとも部分的に画定されるポート構造部を提供するステップを備える。ポート構造部は、スロット開口部からスロット・ベースへ延在するスロットを有する。方法はまた、チューニング・エレメントを前記ポート構造部に連結するステップを備える。ストライク部分のボトム・エンドは、スロット開口部よりもスロット・ベースの近くに位置する。スロットは、ヒール壁部と、トウ壁部と、を有する。スロットはさらに、スロット開口部からスロット・ベースへ延在しており、ヒール壁部とトウ壁部との間に延在するリア壁部を有する。リア壁部は、スロット開口部とスロット・ベースとの間を伸びる第１の方向に沿って、第１のリア壁部カーブを含む。スロットはさらに、スロット開口部からスロット・ベースへ延在しており、ヒール壁部とトウ壁部との間に延在するフロント壁部を有する。ストライクフェイスは、リア壁部よりもフロント壁部の近くに位置する。フロント壁部は、第１の方向に沿って、第１のフロント壁部カーブを含む。
【００２９】
さらなる実施形態は、ゴルフクラブヘッドを提供する方法を有する。方法は、第１のキャビティ部分およびツーリング・ピースを含む第１のモールド・ピースを提供するステップを備えることができる。ツーリング・ピースは、モールド位置から解放位置へ、第１のモールド・ピースの上の固定点の周りに、第１のモールド・ピースに対して回転するように構成され得る。方法はまた、第２のキャビティ部分を含む第２のモールド・ピースを提供するステップを備えることができる。方法はさらに、第２のモールド・ピースを第１のモールド・ピースに対して閉じるステップを備えることができ、第１および第２のモールド・ピースが第１および第２のキャビティ部分を取り囲むようになっており、ツーリング・ピースがモールド位置にあるようになっており、また、ツーリング・ピースの一部分が、少なくとも第１のキャビティ部分の中へ挿入されるようになっている。方法は加えて、第１および第２のキャビティ部分の中で射出成形を成形するステップを備えることができる。射出成形は、ストライク部分、リア部分、および、リア部分の中に少なくとも部分的に画定されたポート構造部を含むゴルフクラブヘッド・モールドを有することができる。ツーリング・ピースの一部分は、ポート構造部と実質的に一致することができる。方法はさらに、第１のモールド・ピースから第２のモールド・ピースを開けるステップを備えることができ、ツーリング・ピースが、ポート構造部の中のモールド位置から解放位置へと離れるように、固定点の周りに回転させられるようになっている。
【００３０】
図面を見てみると、図１は、実施形態による、チューニング・エレメント１５０を備えるゴルフクラブヘッド１００のヒール側のボトムの背面斜視図を図示している。図２は、チューニング・エレメント１５０を備えるゴルフクラブヘッド１００のボトムの背面図を図示している。ゴルフクラブヘッド１００は、単に例示的なものであり、ゴルフクラブヘッドの実施形態は、本明細書で提示されている実施形態に限定されない。ゴルフクラブヘッドは、本明細書では具体的には示されていないまたは説明されていない多くの異なる実施形態または例において用いられ得る。多数の実施形態では、ゴルフクラブヘッド１００は、アイアン・タイプのクラブ・ヘッド、ウェッジ・タイプのクラブ・ヘッド、またはハイブリッド・タイプのクラブ・ヘッドとすることができる。たとえば、いくつかの実施形態では、ゴルフクラブヘッド１００は、約１５度から約７０度のロフト角を有することができる。多数の実施形態では、ゴルフクラブヘッド１００は、約２００グラム（ｇ）から約３２５ｇのヘッド重量を有することができる。さまざまな実施形態では、ゴルフクラブヘッド１００は、約５０度から約７０度のライ角を有することができる。多くの実施形態では、ゴルフクラブヘッド１００は、トウ・エンド１０１およびヒール・エンド１０２を含むことができる。さまざまな実施形態では、ゴルフクラブヘッド１００は、ストライク部分１１０を含むことができ、ストライク部分１１０は、ストライクフェイス１１１およびバックフェイス１１２を含むことができる。特定の実施形態では、ストライクフェイス１１１は、ストライク部分１１０の中のストライクプレート・インサート（図示せず）などのような、インサートとすることができる。他の実施形態では、ストライクフェイス１１１は、ストライク部分１１０と一体とすることができる。バックフェイス１１２は、ストライクフェイス１１１の反対側にあることができる。さまざまな実施形態では、バックフェイス１１２は、バックフェイス１１２のトップ・エンドにおいて、周囲部分１１３を含むことができる。多くの実施形態では、周囲部分１１３は、トップ・エンド、ならびに、トウ・エンド１０１および／もしくはヒール・エンド１０２における、または、トウ・エンド１０１および／もしくはヒール・エンド１０２の近位の、バックフェイス１１２の側部の周りに延在することができる。周囲部分１１３は、バックフェイス１１２から後方に突出することができる。
【００３１】
さまざまな実施形態では、ゴルフクラブヘッド１００は、リア部分１２０を含むことができる。リア部分１２０は、ストライク部分１１０のボトム・エンドにおいて、ストライク部分１１０に連結され得る。リア部分１２０は、ソール１２１を含むことができる。多数の実施形態では、ソール１２１の少なくとも一部分は、ゴルフクラブヘッド１００がアドレス位置にあるときに、実質的に水平方向またはおおよそ水平方向とすることができ、ゴルフクラブヘッド１００がアドレス位置にあるときに、断面線３−３および５−５が、実質的に垂直方向またはおおよそ垂直方向とすることができるようになっている。多くの実施形態では、ストライク部分１１０は、リア部分１２０と一体とすることができ、ストライク部分１１０およびリア部分１２０が単一のピースの材料とすることができるようになっている。他の実施形態では、ストライク部分１１０は、溶接、ろう付け、接着、および／または、他の機械的なもしくは化学的な締結具などによってリア部分１２０に締結される、別々のピース（または、２つ以上の別々のピース）の材料とすることができる。多くの実施形態では、リア部分１２０および／またはストライク部分１１０は、スチール、炭素鋼、ステンレス鋼、および／もしくはスチール合金などのような鉄材料、ならびに／または、チタン、タングステン、および／もしくはアルミニウムなどのような非鉄材料を含む、１つまたは複数の材料を含むことができる。多数の実施形態では、リア部分１２０および／またはストライク部分１１０において使用される１つまたは複数の材料は、高いせん断係数および／または高い強度重量比を有することができる。いくつかの実施形態では、リア部分１２０および／またはストライク部分１１０は、約２．８ｇ毎立方センチメートル（ｃｃ）（ｇ／ｃｃ）から約１８．０ｇ／ｃｃの密度を有することができる。たとえば、リア部分１２０および／またはストライク部分１１０は、約２．８ｇ／ｃｃ、３．０ｇ／ｃｃ、３．５ｇ／ｃｃ、４．０ｇ／ｃｃ、４．５ｇ／ｃｃ、５．０ｇ／ｃｃ、５．５ｇ／ｃｃ、６．０ｇ／ｃｃ、６．５ｇ／ｃｃ、７．０ｇ／ｃｃ、７．５ｇ／ｃｃ、８．０ｇ／ｃｃ、８．５ｇ／ｃｃ、９．０ｇ／ｃｃ、９．５ｇ／ｃｃ、１０．０ｇ／ｃｃ、１０．５ｇ／ｃｃ、１１．０ｇ／ｃｃ、１１．５ｇ／ｃｃ、１２．０ｇ／ｃｃ、１２．５ｇ／ｃｃ、１３．０ｇ／ｃｃ、１３．５ｇ／ｃｃ、１４．０ｇ／ｃｃ、１４．５ｇ／ｃｃ、１５．０ｇ／ｃｃ、１５．５ｇ／ｃｃ、１６．０ｇ／ｃｃ、１６．５ｇ／ｃｃ、１７．０ｇ／ｃｃ、１７．５ｇ／ｃｃ、１８．０ｇ／ｃｃの密度、または、それらの密度の値の間にある任意の他の適切な密度の値を有することができ、また、それらの密度の値のうちのいずれか１つから、それらの密度の値のうちの他のいずれか１つまでの範囲にあることができる。たとえば、特定のハイブリッド・タイプのゴルフクラブヘッドに関するリア部分１２０および／またはストライク部分１１０は、約４．０ｇ／ｃｃから約８．０ｇ／ｃｃの密度を有することができる。別の例として、特定のアイアン・タイプのゴルフクラブヘッドまたは特定のウェッジ・タイプのゴルフクラブヘッドの中のリア部分１２０および／またはストライク部分１１０は、約７．０ｇ／ｃｃから約８．０ｇ／ｃｃの密度を有することができる。他のアイアン・タイプ、ウェッジ・タイプ、および／またはハイブリッド・タイプのゴルフクラブヘッドの中のリア部分１２０および／またはストライク部分１１０は、他の適切な密度を有することができる。
【００３２】
多数の実施形態では、ゴルフクラブヘッド１００は、チューニング・エレメント１５０と、（図３〜図５および図９〜図１１に示されているような、ならびに、下記に説明されているような）ポート構造部３３０などのような、チューニング・エレメント１５０を保持および／または固定するためのポート構造部とを含むことができる。図面を進めて見てみると、図３は、ゴルフクラブヘッド１００の側断面図を図示しており、その断面図は、図２の中の断面線３−３に沿ってとられているが、図３のゴルフクラブヘッド１００は、実施形態による、チューニング・エレメント１５０なしで図示されている。図４は、ゴルフクラブヘッド１００の側断面図を図示しており、その断面図は、図２の中の断面線３−３に沿ってとられており、図３のゴルフクラブヘッド１００は、曲率半径とともに、チューニング・エレメント１５０なしで図示されている。図５は、ゴルフクラブヘッド１００の側断面図を図示しており、その断面図は、図２の中の断面線５−５に沿ってとられているが、図５のゴルフクラブヘッド１００は、チューニング・エレメント１５０なしで図示されている。多数の実施形態では、ゴルフクラブヘッド１００は、ポート構造部３３０を含むことができる。ポート構造部３３０は、リア部分１２０の中に少なくとも部分的に画定され得る。特定の実施形態では、ポート構造部３３０は、ストライク・ポート１１０の中に少なくとも部分的に画定され得る。多くの実施形態では、ポート構造部３３０は、リア部分１２０およびストライク部分１１０の両方の中に画定され得る。特定の他の実施形態では、ポート構造部３３０は、単にリア部分１２０の中だけに画定され得る。
【００３３】
さまざまな実施形態では、ポート構造部３３０は、スロット３３１を含むことができ、スロット３３１は、スロット開口部３３２からスロット・ベース３３３へ延在することができる。多くの実施形態では、スロット３３１は、さらに詳細に下記に説明されているように、チューニング・エレメント１５０（図１〜図２）の（下記に説明されている図６〜図８に示されているような）主要部分６５１を受け入れるように構成され得る。多くの実施形態では、スロット３３１は、トウ壁部３３４およびヒール壁部５３７を含むことができる。トウ壁部３３４は、トウ・エンド１０１（図１〜図２）のより近くに位置するゴルフクラブヘッド１００および／またはスロット３３１の側部にあることができ、また、ヒール壁部５３７は、ヒール・エンド１０２（図１〜図２）のより近くに位置するゴルフクラブヘッド１００および／またはスロット３３１の側部にあることができる。スロット３３１は、トウ壁部３３４とヒール壁部５３７との間に延在することができる。多くの実施形態では、トウ壁部３３４および／またはヒール壁部５３７は、スロット開口部３３２からスロット・ベース３３３へ延在することができる。多数の実施形態では、スロット３３１は、リア壁部３３５およびフロント壁部３３６を含むことができる。さまざまな実施形態では、リア壁部３３５は、スロット開口部３３２からスロット・ベース３３３へ延在することができ、および／または、ヒール壁部５３７とトウ壁部３３４との間に延在することができる。いくつかの実施形態では、フロント壁部３３６は、スロット開口部３３２からスロット・ベース３３３へ延在することができ、および／または、ヒール壁部５３７とトウ壁部３３４との間に延在することができる。スロット３３１は、フロント壁部３３６とリア壁部３３５との間に延在することができる。多数の実施形態では、ストライク・フェイス１１１は、リア壁部３３５よりもフロント壁部３３６の近くに位置することができる。いくつかの実施形態では、フロント壁部３３５も、リア壁部３３５よりもストライクフェイス１１１の近くに位置することができる。
【００３４】
トウ壁部３３４、リア壁部３３５、ヒール壁部５３７、およびフロント壁部３３６の間の境界は、鋭角に、直角に、もしくは鈍角に角度が付けられ得、または、丸みが付けられ得る。たとえば、いくつかの実施形態では、スロット３３１は、チューブ状とすることができ、トウ壁部３３４、リア壁部３３５、ヒール壁部５３７、およびフロント壁部３３６の間の境界が、角度が付けられた縁部を含まないようになっているが、たとえそうであっても、スロット３３１は、依然として、トウ壁部、リア壁部、ヒール壁部、およびフロント壁部を有すると考えられ得る。そのような実施形態では、トウ壁部は、トウ・エンド１０１に隣接しているチューブ状の壁部の一部分であり、ヒール壁部５３７は、ヒール・エンド１０２に隣接しているチューブ状の壁部の一部分であるなどである。多数の他の実施形態では、ヒール壁部５３７は、リア壁部３３５に対して９０度よりも大きい角度とすることができ、および／または、トウ壁部３３４は、リア壁部３３５に対して９０度よりも大きい角度とすることができる。さまざまな実施形態では、ヒール壁部５３７は、リア壁部３３５に対して９０度未満の角度とすることができ、および／または、トウ壁部３３４は、リア壁部３３５に対して９０度未満の角度とすることができる。いくつかの実施形態では、ヒール壁部５３７は、リア壁部３３５に対して直交していることができ、および／または、トウ壁部３３４は、リア壁部３３５に対して直交していてもよい。上記に提案されているように、壁部が、次のまたは隣接する壁部に移行するときに、角度が付けられている縁部を含まない場合にも、これらの角度が存在することができる。多数の実施形態では、ヒール壁部５３７および／またはトウ壁部３３４は、実質的にまたはおおよそ真っ直ぐとすることができる。他の実施形態では、ヒール壁部５３７および／またはトウ壁部３３４は、湾曲していてもよい。
【００３５】
多くの実施形態では、ポート構造部３３０、スロット３３１、および／または、その１つまたは複数のエレメントは、１つまたは複数の方向にアーチ形の形状を有することができる。たとえば、リア壁部３３５は、図３〜図５に示されているように、湾曲していてもよく、また、スロット開口部３３２とスロット・ベース３３３との間に延在する第１の方向にリア壁部カーブを有することができる。別の例として、フロント壁部３３６は、図３〜図５に示されているように、湾曲していてもよく、また、スロット開口部３３２とスロット・ベース３３３との間に延在する第１の方向にフロント壁部カーブを有することができる。いくつかの実施形態では、フロント壁部カーブおよび／またはリア壁部カーブは、スロット開口部３３２とスロット・ベース３３３との間に延在する第１の方向に、円形、楕円形、長円形、または、他の湾曲している形状を有することができる。多くの実施形態では、図４に示されているものなどのように、リア壁部３３５の第１の方向に沿って延在するリア壁部カーブは、半径４４７を有する円形４４５の一部分とすることができ、および／または、フロント壁部３３６の第１の方向に沿って延在するフロント壁部カーブは、半径４４８を有する円形４４６の一部分とすることができる。多くの実施形態では、半径４４７は、約０．３７５インチ（０．９５２５センチメートル（ｃｍ））から約１０．０インチ（２５．４ｃｍ）とすることができる。たとえば、半径４４７は、約０．３７５インチ（０．９５２５ｃｍ）、０．４インチ（１．０１６ｃｍ）、０．４５インチ（１．１４３ｃｍ）、０．５インチ（１．２７ｃｍ）、０．５５インチ（１．３９７ｃｍ）、０．６インチ（１．５２４ｃｍ）、０．６５インチ（１．６５１ｃｍ）、０．７インチ（１．７７８ｃｍ）、０．７５インチ（１．９０５ｃｍ）、０．８インチ（２．０３２ｃｍ）、０．８５インチ（２．１５９ｃｍ）、０．９インチ（２．２８６ｃｍ）、０．９５インチ（２．４１３ｃｍ）、１．０インチ（２．５４ｃｍ）、１．０５インチ（２．６６７ｃｍ）、１．１インチ（２．７９４ｃｍ）、１．１５インチ（２．９２１ｃｍ）、１．２インチ（３．０４８ｃｍ）、１．２５インチ（３．１７５ｃｍ）、１．３インチ（３．３０２ｃｍ）、１．３５インチ（３．４２９ｃｍ）、１．４インチ（３．５５６ｃｍ）、１．４５インチ（３．６８３ｃｍ）、１．５インチ（３．８１ｃｍ）、１．５５インチ（３．９３７ｃｍ）、１．６インチ（４．０６４ｃｍ）、１．６５インチ（４．１９１ｃｍ）、１．７インチ（４．３１８ｃｍ）、１．７５インチ（４．４４５ｃｍ）、１．８インチ（４．５７２ｃｍ）、１．８５インチ（４．６９９ｃｍ）、１．９インチ（４．８２６ｃｍ）、１．９５インチ（４．９５３ｃｍ）、２．０インチ（５．０８ｃｍ）、２．１インチ（５．３３４ｃｍ）、２．２インチ（５．５８８ｃｍ）、２．３インチ（５．８４２ｃｍ）、２．４インチ（６．０９６ｃｍ）、２．５インチ（６．２５ｃｍ）、２．６インチ（６．６０４ｃｍ）、２．７インチ（６．８５８ｃｍ）、２．８インチ（７．１１２ｃｍ）、２．９インチ（７．３６６ｃｍ）、３．０インチ（７．６２ｃｍ）、３．２５インチ（８．２５５ｃｍ）、３．５インチ（８．８９ｃｍ）、３．７５インチ（９．５２５インチ）、４．０インチ（１０．１６ｃｍ）、４．５インチ（１１．４３ｃｍ）、５．０インチ（１２．７ｃｍ）、５．５インチ（１３．９７ｃｍ）、６．０インチ（１５．２４ｃｍ）、６．５インチ（１６．５１ｃｍ）、７．０インチ（１７．７８ｃｍ）、７．５インチ（１９．０５ｃｍ）、８．０インチ（２０．３２ｃｍ）、８．５インチ（２１．５９ｃｍ）、９．０インチ（２２．８６ｃｍ）、９．５インチ（２４．１３ｃｍ）、１０．０インチ（２５．４ｃｍ）、または、それらの半径の値の間にある任意の他の適切な半径の値とすることができ、また、それらの半径の値のうちのいずれか１つから、それらの半径の値のうちの他のいずれか１つまでの範囲にあることができる。いくつかの実施形態では、たとえば、半径４４７は、約０．５インチ（１．２７ｃｍ）から約１．５インチ（３．８１ｃｍ）とすることができる。たとえば、半径４４７は、図４に示されているものなどのように、約１．０インチ（２．５４ｃｍ）とすることができる。
【００３６】
図４に示されているように、半径４４８は、半径４４７より大きくてもよい。多くの実施形態では、半径４４８は、約０．５７５インチ（１．４６０５ｃｍ）から約１１．０インチ（２７．９４ｃｍ）とすることができる。たとえば、半径４４８は、約０．５７５インチ（１．４６０５ｃｍ）、０．６インチ（１．５２４ｃｍ）、０．６５インチ（１．６５１ｃｍ）、０．７インチ（１．７７８ｃｍ）、０．７５インチ（１．９０５ｃｍ）、０．８インチ（２．０３２ｃｍ）、０．８５インチ（２．１５９ｃｍ）、０．８７５インチ（２．２２２５ｃｍ）、０．９インチ（２．２８６ｃｍ）、０．９５インチ（２．４１３ｃｍ）、１．０インチ（２．５４ｃｍ）、１．０５インチ（２．６６７ｃｍ）、１．１インチ（２．７９４ｃｍ）、１．１５インチ（２．９２１ｃｍ）、１．２インチ（３．０４８ｃｍ）、１．２５インチ（３．１７５ｃｍ）、１．３インチ（３．３０２ｃｍ）、１．３５インチ（３．４２９ｃｍ）、１．４インチ（３．５５６ｃｍ）、１．４５インチ（３．６８３ｃｍ）、１．５インチ（３．８１ｃｍ）、１．５５インチ（３．９３７ｃｍ）、１．６インチ（４．０６４ｃｍ）、１．６５インチ（４．１９１ｃｍ）、１．７インチ（４．３１８ｃｍ）、１．７５インチ（４．４４５ｃｍ）、１．８インチ（４．５７２ｃｍ）、１．８５インチ（４．６９９ｃｍ）、１．９インチ（４．８２６ｃｍ）、１．９５インチ（４．９５３ｃｍ）、２．０インチ（５．０８ｃｍ）、２．１インチ（５．３３４ｃｍ）、２．２インチ（５．５８８ｃｍ）、２．３インチ（５．８４２ｃｍ）、２．４インチ（６．０９６ｃｍ）、２．５インチ（６．２５ｃｍ）、２．６インチ（６．６０４ｃｍ）、２．７インチ（６．８５８ｃｍ）、２．８インチ（７．１１２ｃｍ）、２．９インチ（７．３６６ｃｍ）、３．０インチ（７．６２ｃｍ）、３．２５インチ（８．２５５ｃｍ）、３．５インチ（８．８９ｃｍ）、３．７５インチ（９．５２５インチ）、４．０インチ（１０．１６ｃｍ）、４．５インチ（１１．４３ｃｍ）、５．０インチ（１２．７ｃｍ）、５．５インチ（１３．９７ｃｍ）、６．０インチ（１５．２４ｃｍ）、６．５インチ（１６．５１ｃｍ）、７．０インチ（１７．７８ｃｍ）、７．５インチ（１９．０５ｃｍ）、８．０インチ（２０．３２ｃｍ）、８．５インチ（２１．５９ｃｍ）、９．０インチ（２２．８６ｃｍ）、９．５インチ（２４．１３ｃｍ）、１０．０インチ（２５．４ｃｍ）、１０．５インチ（２６．６７ｃｍ）、１１．０インチ（２７．９４ｃｍ）、または、それらの半径の値の間にある任意の他の適切な半径の値とすることができ、また、それらの半径の値のうちのいずれか１つから、それらの半径の値のうちの他のいずれか１つまでの範囲にあることができる。いくつかの実施形態では、たとえば、半径４４８は、約０．７インチ（１．７７８ｃｍ）から約１．７インチ（３．８１ｃｍ）とすることができる。たとえば、半径４４７は、図４に示されているものなどのように、約１．０インチ（２．５４ｃｍ）とすることができる。さらなる他の実施形態では、半径４４８は、約０．８７５インチ（２．２２２５ｃｍ）から約１１．０インチ（２７．９４ｃｍ）とすることができる。
【００３７】
多数の実施形態では、円形４４５および円形４４６は、実質的にまたはおおよそ同心円状とすることができ、ヒール壁部５３７とトウ壁部３３４との間のフロント壁部３３６の中間部分が、第１の方向に沿って移動するときに、ヒール壁部５３７とトウ壁部３３４との間のリア壁部３３５の中間部分から実質的にまたはおおよそ一定の距離とすることができるようになっている。同じ実施形態または他の実施形態では、フロント壁部３３６は、第１の方向に沿って移動するときに、フロント壁部３３６およびリア壁部３３４の任意の対応する部分において、リア壁部３３５から実質的にまたはおおよそ一定の距離とすることができる。たとえば、図４に示されている断面スライスでは、半径４４８は、約１．２インチ（３．０４８ｃｍ）とすることができ、また、フロント壁部３３６は、第１の方向に沿って移動するときに、リア壁部３３５から約０．２インチ（０．５０８ｃｍ）とすることができる。製造する目的および／または組み立てる目的のために、フロント壁部３３６およびリア壁部３３５の中間部分同士の間の距離は、スロット開口部３３２からスロット・ベース３３３に向けて第１の方向に沿って移動するときに、距離がわずかに（たとえば、最大１０パーセント（１０％）まで）減少するときであっても、実質的にまたはおおよそ一定とすることができる。多くの実施形態では、フロント壁部３３６は、リア壁部３３５から約０．０２５インチ（０．０６３５ｃｍ）から約０．５インチ（０．２５４ｃｍ）とすることができる。たとえば、フロント壁部３３６は、第１の方向に沿って移動するときに、リア壁部３３５から、約０．０２５インチ（０．０６３５ｃｍ）、０．０５インチ（０．１２７ｃｍ）、０．０７５インチ（０．１９０５ｃｍ）、０．１インチ（０．２５４ｃｍ）、０．１２５インチ（０．３１７５ｃｍ）、０．１５インチ（０．３８１ｃｍ）、０．１７５インチ（０．４４４５ｃｍ）、０．２インチ（０．５０８ｃｍ）、０．２２５インチ（０．５７１５ｃｍ）、０．２５インチ（０．６３５ｃｍ）、０．２７５インチ（０．６９８５ｃｍ）、０．３インチ（０．７６２ｃｍ）、０．３２５インチ（０．８２５５ｃｍ）、０．３５インチ（０．８８９ｃｍ）、０．３７５インチ（０．９５２５ｃｍ）、０．４インチ（１．０１６ｃｍ）、０．４２５インチ（１．０７９５ｃｍ）、０．４５インチ（１．１４３ｃｍ）、０．４７５インチ（１．２０６５ｃｍ）、または０．５インチ（１．２７ｃｍ）になっていてもよく、または、それらの距離の値の間にある任意の他の適切な距離とすることができ、また、それらの距離の値のうちのいずれか１つから、それらの距離の値のうちの他のいずれか１つまでの範囲にあることができる。
【００３８】
他の実施形態では、円形４４５および円形４４６は、同心円状ではない中心を有することができ、フロント壁部３３６が、第１の方向に沿って移動するときに、リア壁部３３５から可変の距離であり得るようになっている。いくつかの実施形態では、たとえば、フロント壁部３３６とリア壁部３３５との間の距離は、スロット開口部３３２からスロット・ベース３３３へ延在する第１の方向に沿って移動するときに、狭くなることができ、それは、有益であることには、チューニング・エレメント１５０（図１〜図２）がポート構造部３３０からより容易に除去されることを可能にすることができる。他の実施形態では、フロント壁部３３６とリア壁部３３５との間の距離は、スロット開口部３３２からスロット・ベース３３３へ延在する第１の方向に沿って移動するときに、広くなることができる。多数の実施形態では、円形４４５の中心と円形４４６の中心との間の距離は、約０インチ（０ｃｍ）から約５．０インチ（１２．７ｃｍ）とすることができる。たとえば、円形４４５の中心と円形４４６の中心との間の距離は、約０インチ（０ｃｍ）、０．００５インチ（０．０１２７ｃｍ）、０．０１インチ（０．０２５４ｃｍ）、０．０１５インチ（０．０３８１ｃｍ）、０．０２インチ（０．０５０８ｃｍ）、０．０２５インチ（０．０６３５ｃｍ）、０．０３インチ（０．０７６２ｃｍ）、０．０４インチ（０．１０１６ｃｍ）、０．０５インチ（０．１２７ｃｍ）、０．０６インチ（０．１５２４ｃｍ）、０．０７インチ（０．１７７８ｃｍ）、０．０８インチ（０．２０３２ｃｍ）、０．０９インチ（０．２２８６ｃｍ）、０．１インチ（０．２５４ｃｍ）、０．１２５インチ（０．３１７５ｃｍ）、０．１５インチ（０．３８１ｃｍ）、０．１７５インチ（０．４４４５ｃｍ）、０．２インチ（０．５０８ｃｍ）、０．２２５インチ（０．５７１５ｃｍ）、０．２５インチ（０．６３５ｃｍ）、０．２７５インチ（０．６９８５ｃｍ）、０．３インチ（０．７６２ｃｍ）、０．３５インチ（０．８８９ｃｍ）、０．４インチ（１．０１６ｃｍ）、０．４５インチ（１．１４３ｃｍ）、０．５インチ（１．２７ｃｍ）、０．６インチ（１．５２４ｃｍ）、０．７インチ（１．７７８ｃｍ）、０．８インチ（２．０３２ｃｍ）、０．９インチ（２．２８６ｃｍ）、１．０インチ（２．５４ｃｍ）、１．２５インチ（３．１７５ｃｍ）、１．５インチ（３．８１ｃｍ）、１．７５インチ（４．４４５ｃｍ）、２．０インチ（５．０８ｃｍ）、２．２５インチ（５．７１５ｃｍ）、２．５インチ（６．３５ｃｍ）、２．７５インチ（６．９８５ｃｍ）、３．０インチ（７．６２ｃｍ）、３．２５インチ（８．２５５ｃｍ）、３．５インチ（８．８９ｃｍ）、３．７５インチ（９．５２５ｃｍ）、４．０インチ（１０．１６ｃｍ）、４．２５インチ（１０．７９５ｃｍ）、４．５インチ（１１．４３ｃｍ）、４．７５インチ（１２．０６５ｃｍ）、５．０インチ（１２．７ｃｍ）、または、それらの距離の値の間にある任意の他の適切な距離とすることができ、また、それらの距離の値のうちのいずれか１つから、それらの距離の値のうちの他のいずれか１つまでの範囲にあることができる。円形４４５および４４６の中心が、実質的にまたはおおよそ同心円状であるときには、中心同士の間の距離は、約０インチ（０ｃｍ）から０．０７５インチ（０．１９０５ｃｍ）とすることができる。
【００３９】
いくつかの実施形態では、図４に示されているものなどのように、円形４４５および円形４４６の中心は、フロント壁部３３６よりもリア壁部３３５の近くに位置することができ、半径４４７が半径４４８よりも小さくなり得るようになっている。図４に示されているように、フロント壁部３３６は、（内側のスロット３３１の観点から見たときに）スロット３３１の中で第１の方向に凹形とすることができ、および／または、リア壁部３３５は、（内側のスロット３３１の同じ観点から見たときに）スロット３３１の中で第１の方向に凸形とすることができる。他の実施形態では、フロント壁部３３６は、スロット３３１の中で凸形とすることができ、および／または、リア壁部３３５は、スロット３３１の中で凹形とすることができる。そのような実施形態では、たとえば、円形４４５および円形４４６の中心は、リア壁部３３５よりもフロント壁部３３６の近くに位置することができ、半径４４８が半径４４７よりも小さくなり得るようになっている。いくつかの実施形態では、フロント壁部３３６および／またはリア壁部３３５の大部分は、第１の方向に実質的に湾曲していてもよい。いくつかの実施形態では、円形４４５および／または円形４４６の中心は、ゴルフクラブヘッド１００の外側に位置することができる。他の実施形態では、円形４４５および／または円形４４６の中心は、ゴルフクラブヘッド１００の内側に位置することができる。
【００４０】
多くの実施形態では、ストライク部分１１０のボトム・エンドがスロット開口部３３２よりもスロット・ベース３３３の近くに位置するように、スロット３３１は配向され得る。また、いくつかの実施形態では、スロット・ベース３３３がスロット開口部３３２よりもストライク部分１１０のボトム・エンドの近くに位置するように、スロット３３１は配向され得る。いくつかの実施形態では、リア壁部３３５および／またはフロント壁部３３６の少なくとも一部分は、ストライクフェイス１１１に対して平行とすることができる。さまざまな実施形態では、リア壁部３３５および／またはフロント壁部３３６の少なくとも一部分は、ストライクフェイス１１１と実質的に同じ方向に延在することができる。多くの実施形態では、ストライクフェイス１１１とフロント壁部３３６との間の距離は、図３〜図５に示されているものなどのように、スロット開口部３３２においてよりも、スロット・ベース３３３において、大きくてもよく、それは、有利には、ストライク部分１１０の下側部分に対して、ゴルフクラブヘッド１００の増加した耐久性を提供することができる。特定の実施形態では、リア壁部３３５および／またはフロント壁部３３６の少なくとも一部分は、ソール１２１の少なくとも一部分に対して平行とすることができる。他の実施形態では、スロット３３１は、ゴルフクラブヘッド１００の中で他の適切な配向を有することができる。
【００４１】
いくつかの実施形態では、フロント壁部３３６の少なくとも一部分は、バックフェイス１１２の少なくとも一部分よりもストライクフェイス１１１の近くに位置することができる。いくつかの実施形態では、スロット開口部３３２におけるストライクフェイス１１１とフロント壁部３３６との間の距離は、ストライクフェイス１１１とバックフェイス１１２の少なくとも一部分との間の距離よりも小さくてもよい。たとえば、周囲部分１１３におけるストライク部分１１０の上部において、ストライク部分１１０の厚さは、スロット開口部３３２におけるストライクフェイス１１１とフロント壁部３３６との間の距離よりも大きくてもよい。多くの実施形態では、バックフェイス１１２は、少なくとも部分的に凹形とすることができる。たとえば、図３〜図５に示されているように、バックフェイス１１２は、周囲部分１１３とリア部分１２０との間で凹形に湾曲することができる。いくつかの実施形態では、バックフェイス１１２の凹形カーブは、リア壁部３３５またはフロント壁部３３６のうちの少なくとも１つのカーブに対して平行であるか、または、そうでなければ、それと同様とすることができる。多くの実施形態では、バックフェイス１１２に対する凹形カーブは、有益であることには、ゴルフクラブヘッド１００のより簡単な製造を促進させることができ、バックフェイス１１２の一部分におけるストライク部分１１０の厚さが、スロット開口部３３２におけるストライクフェイス１１１とフロント壁部３３６との間の距離よりも大きいときでも、ポート構造部３３０および／またはスロット３３１が、ツーリング・ピック・ピース（ｔｏｏｌｉｎｇ  ｐｉｃｋ  ｐｉｅｃｅ）によって鋳造され得るようになっており、ツーリング・ピック・ピースは、固定点の周りでツーリング・ピック・ピースを単純に回転させることなどによって、バックフェイス１１２に干渉することなく１つの運動で除去され得る。たとえば、ツーリング・ピック・ピースは、図１３〜図１４に示されているように、および、下記に説明されているように、ツーリング・ピース１３９０と同様とすることができる。
【００４２】
多数の実施形態では、フロント壁部３３６は、湾曲していてもよく、また、ヒール壁部５３７とトウ壁部３３４との間に延在する、第１の方向に対して垂直の第２の方向に、フロント壁部カーブを有することができる。他の実施形態では、フロント壁部３３６は、第２の方向に沿って、実質的にまたはおおよそ真っ直ぐとすることができる。いくつかの実施形態では、リア壁部３３５は、湾曲していてもよく、また、第２の方向にリア壁部カーブを有することができる。他の実施形態では、リア壁部３３５は、第２の方向に沿って、実質的にまたはおおよそ真っ直ぐとすることができる。フロント壁部カーブおよび／またはリア壁部カーブは、ヒール壁部５３７とトウ壁部３３４との間に延在する第２の方向に、円形、楕円形、長円形、または、他のアーチ形の形状を、少なくとも部分的に有することができる。例として、図３〜図５に示されているように、フロント壁部３３６は、スロット３３１の中で第２の方向に凹形とすることができ、リア壁部３３５は、スロット３３１の中で第２の方向に、実質的にまたはおおよそ真っ直ぐとすることができる。いくつかの実施形態では、フロント壁部３３６は、ヒール壁部５３７とトウ壁部３３４との間の中間点においてよりも、ヒール壁部５３７および／またはトウ壁部３３４において、リア壁部３３６から短い距離にあることができる。いくつかの実施形態では、フロント壁部３３６および／またはリア壁部３３５の大部分は、第２の方向に実質的に湾曲していてもよい。さまざまな実施形態では、フロント壁部３３６および／またはリア壁部３３５の大部分は、第２の方向に、実質的にまたはおおよそ真っ直ぐとすることができる。
【００４３】
多くの実施形態では、ポート構造部３３０は、スロット開口部３３２においてキャップ凹部３４０を含むことができ、それは、さらに詳細に下記に説明されているように、チューニング・エレメント１５０（図１〜図２）の（下記に説明されている図６〜図８に示されているような）キャップ６６１を受け入れるように構成され得る。多くの実施形態では、キャップ凹部３４０は、スロット開口部３３２において、フロント壁部３３６、リア壁部３３５、トウ壁部３３４、および／またはヒール壁部５３７の周りに、ならびに、それらを越えて延在することができる。いくつかの実施形態では、キャップ凹部３４０は、フロント壁部３３６を越えてバックフェイス１１２まで延在することができる。多数の実施形態では、キャップ凹部３４０は、スロット３３１の周囲部全体の周りで、約０．０２インチ（０．０５０８ｃｍ）から約０．１インチ（０．２５４ｃｍ）だけ、スロット開口部３３２においてスロット３３１を越えて囲むか、または、そうでなければ延在することができる。たとえば、キャップ凹部３４０は、約０．０２インチ（０．０５０８ｃｍ）、０．０３インチ（０．０７６２ｃｍ）、０．０４インチ（０．１０１６ｃｍ）、０．０５インチ（０．１２７ｃｍ）、０．０６インチ（０．１５２４ｃｍ）、０．０７インチ（０．１７７８ｃｍ）、０．０８インチ（０．２０３２ｃｍ）、０．９インチ（０．２２８６ｃｍ）、または、それらの距離の値の間にある任意の他の適切な距離だけ延在することができ、また、それらの距離の値のうちのいずれか１つから、それらの距離の値のうちの他のいずれか１つまでの範囲にあることができる。いくつかの実施形態では、たとえば、キャップ凹部３４０は、約０．０３インチ（０．０７６２ｃｍ）から約０．０７インチ（０．１７７８ｃｍ）だけ、スロット開口部３３２においてスロット３３１を越えて延在することができる。たとえば、キャップ凹部３４０の少なくとも一部分は、図３〜図５に示されているものなどのように、約０．５インチ（２．５４ｃｍ）だけ、スロット開口部３３２においてスロット３３１を越えて延在することができる。いくつかの実施形態では、キャップ凹部３４０は、スロット開口部３３２の１つまたは複数の側部において、可変の距離またはそうでなければ異なる距離だけ、スロット開口部３３２においてスロット３３１を越えて延在することができる。他の実施形態では、ポート構造部３３０は、キャップなしのチューニング・エレメントなどについては、キャップ凹部３４０を含まない。
【００４４】
図面を進めて見てみると、図６は、実施形態による、チューニング・エレメント１５０の側面図を図示している。図７は、チューニング・エレメント１５０の背面図を図示している。図８は、チューニング・エレメント１５０の上面図を図示している。チューニング・エレメント１５０は、単に例示的なものであり、チューニング・エレメントの実施形態は、本明細書で提示されている実施形態に限定されない。チューニング・エレメントは、具体的には本明細書で示されていないまたは説明されていない多くの異なる実施形態または例の中で用いられ得る。
【００４５】
いくつかの実施形態では、チューニング・エレメント１５０は、ポート構造部３３０（図３〜図５）の中に位置することができ、および／または、ポート構造部３３０（図３〜図５）と実質的に一致することができる。多くの実施形態では、チューニング・エレメント１５０は、主要部分６５１およびキャップ６６１を含むことができる。他の実施形態では、ポート構造部３３０がキャップ凹部３４０（図３〜図５）を含まないときなどに、チューニング・エレメント１５０は、キャップ６６１なしの主要部分６５１を含むことができる。特定の実施形態では、主要部分６５１およびキャップ６６１は、１つまたは複数の同じ材料から作製され得る。多数の実施形態では、主要部分６５１は、キャップ６６１と一体であるか、および／または、キャップ６６１と共同成形され得る。他の実施形態では、主要部分６５１は、溶接、ろう付け、接着、および／または、他の機械的なもしくは化学的な締結具などによってキャップ６６１に締結される、別々のピースの材料とすることができる。いくつかの実施形態では、チューニング・エレメント１５０は、射出成形され、機械加工され、焼結され、または、他の適切なプロセスによってポート構造部３３０（図３〜図５）の中に作製もしくは設置され得る。さまざまな実施形態では、チューニング・エレメント１５０は、リア部分１２０（図１〜図５）またはストライク部分１１０（図１〜図５）と同じ材料または異なる材料から作製され得る。特定の実施形態では、チューニング・エレメント１５０は、１つまたは複数のエラストマーから作製され得る。たとえば、チューニング・エレメント１５０は、非鉄熱可塑性のウレタン、熱可塑性のエラストマー・ポリマー、鉄粒子または他の合金鉄粒子のミックスがポリウレタンまたは他のエラストマー・ポリマーの中に混合された状態のハイブリッド・プラスチックから作製され得る。他の実施形態では、チューニング・エレメント１５０は、チューニング・エレメント１５０が焼結または機械加工されるときなどには、アルミニウム、スチール、タングステン、または他の適切な金属などのような、金属とすることができる。
【００４６】
多くの実施形態では、チューニング・エレメント１５０は、ウェイトを有することができ、ウェイトは、有利には、ストライク部分１１０（図１〜図５）を強化するように構成され得、有益であることには、望ましくない衝撃振動を最小化し、および／または、組み立ての間に、ゴルフ・クラブ・スイングウェイトを確立もしくは調節する。たとえば、チューニング・エレメント１５０は、約１．０ｇから約１００ｇの質量を有することができる。たとえば、チューニング・エレメント１５０は、約１．０ｇ、２．０ｇ、３．０ｇ、４．０ｇ、５．０ｇ、６．０ｇ、７．０ｇ、８．０ｇ、９．０ｇ、１０．０ｇ、１１．０ｇ、１２．０ｇ、１３．０ｇ、１４．０ｇ、１５．０ｇ、１６．０ｇ、１７．０ｇ、１８．０ｇ、１９．０ｇ、２０．０ｇ、２１．０ｇ、２２．０ｇ、２３．０ｇ、２４．０ｇ、２５．０ｇ、２６．０ｇ、２７．０ｇ、２８．０ｇ、２９．０ｇ、３０．０ｇ、３５．０ｇ、４０．０ｇ、４５．０ｇ、５０．０ｇ、５５．０ｇ、６０．０ｇ、６５．０ｇ、７０．０ｇ、７５．０ｇ、８０．０ｇ、８５．０ｇ、９０．０ｇ、９５．０ｇ、１００．０ｇの質量、または、それらの質量の値の間にある任意の他の適切な質量を有することができ、また、それらの質量の値のうちのいずれか１つから、それらの距離の値のうちの他のいずれか１つまでの範囲にあることができる。たとえば、いくつかの実施形態では、チューニング・エレメント１５０は、約１．０ｇから約３０．０ｇの質量を有することができる。
【００４７】
いくつかの実施形態では、チューニング・エレメント１５０は、約１．０ｇ／ｃｃから約２０．０ｇ／ｃｃの密度を有することができる。たとえば、チューニング・エレメント１５０は、約１．０ｇ／ｃｃ、１．５ｇ／ｃｃ、２．０ｇ／ｃｃ、２．５ｇ／ｃｃ、３．０ｇ／ｃｃ、３．５ｇ／ｃｃ、４．０ｇ／ｃｃ、４．５ｇ／ｃｃ、５．０ｇ／ｃｃ、５．５ｇ／ｃｃ、６．０ｇ／ｃｃ、６．５ｇ／ｃｃ、７．０ｇ／ｃｃ、７．５ｇ／ｃｃ、８．０ｇ／ｃｃ、８．５ｇ／ｃｃ、９．０ｇ／ｃｃ、９．５ｇ／ｃｃ、１０．０ｇ／ｃｃ、１０．５ｇ／ｃｃ、１１．０ｇ／ｃｃ、１１．５ｇ／ｃｃ、１２．０ｇ／ｃｃ、１２．５ｇ／ｃｃ、１３．０ｇ／ｃｃ、１３．５ｇ／ｃｃ、１４．０ｇ／ｃｃ、１４．５ｇ／ｃｃ、１５．０ｇ／ｃｃ、１５．５ｇ／ｃｃ、１６．０ｇ／ｃｃ、１６．５ｇ／ｃｃ、１７．０ｇ／ｃｃ、１７．５ｇ／ｃｃ、１８．０ｇ／ｃｃ、１８．５ｇ／ｃｃ、１９．０ｇ／ｃｃ、１９．５ｇ／ｃｃ、２０．０ｇ／ｃｃの密度、または、それらの密度の値の間にある任意の他の適切な密度の値を有することができ、また、それらの密度の値のうちのいずれか１つから、それらの密度の値のうちの他のいずれか１つまでの範囲にあることができる。たとえば、いくつかの実施形態では、チューニング・エレメント１５０は、約１．０ｇ／ｃｃから約９．０ｇ／ｃｃの密度を有することができる。いくつかの実施形態では、チューニング・エレメント１５０の密度は、リア部分１２０の密度よりも小さくてもよい。他の実施形態では、チューニング・エレメント１５０の密度は、リア部分１２０の密度よりも大きいか、または、リア部分１２０の密度に等しくてもよい。
【００４８】
多くの実施形態では、チューニング・エレメント１５０の主要部分６５１は、チューニング・エレメント・リア側６５５、チューニング・エレメント・フロント側６５６、チューニング・エレメント・ヒール側７５７、チューニング・エレメント・トウ側６５４、および／またはチューニング・エレメント・ボトム側６５３を含むことができる。チューニング・エレメント・リア側６５５、チューニング・エレメント・ヒール側７５７、チューニング・エレメント・フロント側６５６、およびチューニング・エレメント・トウ側６５４の間の境界は、鋭角に、直角に、もしくは鈍角に角度が付けられ得、または、丸みが付けられ得る。たとえば、いくつかの実施形態では、主要部分６５１は、丸みが付けられ得、チューニング・エレメント・リア側６５５、チューニング・エレメント・ヒール側７５７、チューニング・エレメント・フロント側６５６、およびチューニング・エレメント・トウ側６５４の間の境界が、角度が付けられた縁部を含まないようになっている。多数の実施形態では、図７に示されているように、チューニング・エレメント・ヒール側７５７は、チューニング・エレメント・リア側６５５に対して９０度よりも大きい角度とすることができ、および／または、チューニング・エレメント・トウ側６５４は、チューニング・エレメント・リア側６５５に対して９０度よりも大きい角度とすることができる。さまざまな実施形態では、チューニング・エレメント・ヒール側７５７は、チューニング・エレメント・リア側６５５に対して９０度未満の角度とすることができ、および／または、チューニング・エレメント・トウ側６５４は、チューニング・エレメント・リア側６５５に対して９０度未満の角度とすることができる。いくつかの実施形態では、チューニング・エレメント・ヒール側７５７は、チューニング・エレメント・リア側６５５に対して直交していてもよく、および／または、チューニング・エレメント・トウ側６５４は、チューニング・エレメント・リア側６５５に対して直交していてもよい。
【００４９】
多数の実施形態では、チューニング・エレメント１５０のキャップ６６１は、キャップ・リア側６６５、キャップ・フロント側６６６、キャップ・ヒール側７６７、キャップ・トウ側６６４、キャップ・ボトム・リップ６６３、および／またはキャップ・トップ側６６８を含むことができる。キャップ・リア側６６５、キャップ・ヒール側７６７、キャップ・フロント側６６６、およびキャップ・トウ側６６４の間の境界は、鋭角に、直角に、もしくは鈍角に角度が付けられ得、または、丸みが付けられ得る。たとえば、いくつかの実施形態では、キャップ６６１は、丸みが付けられ得、キャップ・リア側６６５、キャップ・ヒール側７６７、キャップ・フロント側６６６、およびキャップ・トウ側６６４の間の境界が、角度が付けられた縁部を含まないようになっている。多数の実施形態では、図７〜図８に示されているように、キャップ・ヒール側７６７は、キャップ・リア側６６５に対して９０度よりも大きい角度とすることができ、および／または、キャップ・トウ側６６４は、キャップ・リア側６６５に対して９０度よりも大きい角度とすることができる。さまざまな実施形態では、キャップ・ヒール側７６７は、キャップ・リア側６６５に対して９０度未満の角度とすることができ、および／または、キャップ・トウ側６６４は、キャップ・リア側６６５に対して９０度未満の角度とすることができる。いくつかの実施形態では、キャップ・ヒール側７６７は、キャップ・リア側６６５に対して直交していてもよく、および／または、キャップ・トウ側６６４は、キャップ・リア側６６５に対して直交していてもよい。多くの実施形態では、キャップ・ヒール側７６７は、チューニング・エレメント・ヒール側７５７と同じもしくは同様の配向を有することができ、キャップ・トウ側６６４は、チューニング・エレメント・トウ側６５４と同じもしくは同様の配向を有することができ、キャップ・リア側６６５は、チューニング・エレメント・リア側６５５と同じもしくは同様の配向を有することができ、および／または、キャップ・フロント側６６６は、チューニング・エレメント・フロント側６５６と同じもしくは同様の配向を有することができる。いくつかの実施形態では、キャップ６６１は、チューニング・エレメント１５０の上で任意選択とすることができ、および／または、キャップ凹部３４０（図３〜図５）は、ポート構造部３３０（図３〜図５）の上で任意選択とすることができる。たとえば、いくつかの実施形態では、チューニング・エレメント１５０は、キャップ６６１を含まないことができ、また、スロット開口部３３２（図３〜図５）においてポート凹部３４０（図３〜図５）なしのポート構造部３３０（図３〜図５）の中に同一平面に置かれ得、または、チューニング・エレメント１５０は、スロット開口部３３２（図３〜図５）からわずかに突出することができ、または、スロット開口部３３２（図３〜図５）の中にわずかに引っ込められることができる。
【００５０】
多くの実施形態では、チューニング・エレメント１５０、または、チューニング・エレメント１５０の１つもしくは複数のエレメントは、１つまたは複数の方向に、アーチ形の形状を有することができる。たとえば、チューニング・エレメント・リア側６５５および／またはキャップ・リア側６６５は、キャップ・トップ側６６８とチューニング・エレメント・ボトム側６５３との間に延在する第１の方向に湾曲していてもよい。別の例として、チューニング・エレメント・フロント側６５６は、キャップ・トップ側６６８とチューニング・エレメント・ボトム側６５３との間に延在する第１の方向に湾曲していてもよい。いくつかの実施形態では、チューニング・エレメント・リア側６５５および／またはチューニング・エレメント・フロント側６５６のカーブは、キャップ・トップ側６６８とチューニング・エレメント・ボトム側６５３との間に延在する第１の方向に、円形、楕円形、長円形、または、他の湾曲している形状を有することができ、また、多くの実施形態では、第１の方向に、スロット３３１（図３〜図５）のリア壁部３３５（図３〜図５）および／またはフロント壁部３３６（図３〜図５）に適合または相関させられ得る。たとえば、チューニング・エレメント・リア側６５５は、第１の方向に、リア壁部３３５（図３〜図５）に関連して上記に説明されているような円形４４５（図４）の半径４４７（図４）と同様または同一の半径を有することができる。別の例として、チューニング・エレメント・フロント側６５６は、第１の方向に、フロント壁部３３６（図３〜図５）に関連して上記に説明されているような円形４４６（図４）の半径４４８（図４）と同様または同一の半径を有することができる。多くの実施形態では、図６に示されているものなどのように、第１の方向に沿って延在する、チューニング・エレメント・リア側６５５および／またはチューニング・エレメント・フロント側６５６のカーブは、それぞれ、円形の一部分とすることができる。特定の実施形態では、それぞれの円形は、同心円状とすることができる。多数の実施形態では、チューニング・エレメント・フロント側６５６は、第１の方向に沿って移動するときに、チューニング・エレメント・リア側６５５から、実質的にまたはおおよそ一定の距離とすることができる。多数の実施形態では、図６に示されているものなどのように、チューニング・エレメント・リア側６５５は、第１の方向に凹形とすることができ、チューニング・エレメント・フロント側６５６は、第１の方向に凸形とすることができる。他の実施形態では、チューニング・エレメント・リア側６５５は、第１の方向に凸形とすることができ、チューニング・エレメント・フロント側６５６は、第１の方向に凹形とすることができる。
【００５１】
多数の実施形態では、チューニング・エレメント・フロント側６５６および／またはキャップ・フロント側６６６は、チューニング・エレメント・ヒール側７５７とチューニング・エレメント・トウ側６５４との間に延在する、第１の方向に対して垂直の第２の方向に湾曲していてもよい。他の実施形態では、チューニング・エレメント・フロント側６５６および／またはキャップ・フロント側６６６は、第２の方向に沿って、実質的にまたはおおよそ真っ直ぐとすることができる。いくつかの実施形態では、チューニング・エレメント・リア側６５５および／またはキャップ・リア側６６５は、第２の方向に湾曲していてもよい。他の実施形態では、チューニング・エレメント・リア側６５５および／またはキャップ・リア側６６５は、第２の方向に沿って、実質的にまたはおおよそ真っ直ぐとすることができる。多数の実施形態では、チューニング・エレメント・リア側６５５および／またはチューニング・エレメント・フロント側６５６のカーブは、チューニング・エレメント・ヒール側７５７とチューニング・エレメント・トウ側６５４との間に延在する第２の方向に、円形、楕円形、長円形、または、他のアーチ形の形状を少なくとも部分的に有することができ、また、多くの実施形態では、第２の方向に、スロット３３１（図３〜図５）のリア壁部３３５（図３〜図５）および／またはフロント壁部３３６（図３〜図５）に適合または相関させられ得る。
【００５２】
図６〜図８に示されている実施形態では、チューニング・エレメント・フロント側６５６およびキャップ・フロント側６６６は、第２の方向に凹形であり、チューニング・エレメント・リア側６５５およびキャップ・リア側６６５は、第２の方向に、実質的にまたはおおよそ真っ直ぐである。提示されている実施形態では、チューニング・エレメント・リア側６５５は、第１の方向に凹形であり、チューニング・エレメント・フロント側６５６は、第１の方向に凸形である。提示されている実施形態では、チューニング・エレメント１５０は、約２．５インチ（６．３５ｃｍ）の（キャップ・ヒール側７６７からキャップ・トウ側６６４への）ヒール・トゥー・トウ長さ（ｈｅｅｌ−ｔｏ−ｔｏｅ  ｌｅｎｇｔｈ）を有している。他の実施形態では、チューニング・エレメント１５０は、約０．５インチ（１．２７ｃｍ）から約４．０インチ（１０．１６ｃｍ）のヒール・トゥー・トウ長さを有することができる。たとえば、チューニング・エレメント１５０は、約０．５インチ（１．２７ｃｍ）、０．７５インチ（１．９０５ｃｍ）、１．０インチ（２．５４ｃｍ）、１．２５インチ（３．１７５ｃｍ）、１．５インチ（３．８１ｃｍ）、１．７５インチ（４．４４５ｃｍ）、２．０インチ（５．０８ｃｍ）、２．２５インチ（５．７１５ｃｍ）、２．５インチ（６．３５ｃｍ）、２．７５インチ（６．９８５ｃｍ）、３．０インチ（７．６２ｃｍ）、３．２５インチ（８．２５５ｃｍ）、３．５インチ（８．８９ｃｍ）、３．７５インチ（９．５２５ｃｍ）、４．０インチ（１０．１６ｃｍ）のヒール・トゥー・トウ長さ、または、それらの長さの値の間にある任意の他の適切な長さの値を有することができ、また、それらの長さの値のうちのいずれか１つから、それらの長さの値のうちの他のいずれか１つまでの範囲にあることができる。たとえば、チューニング・エレメント１５０は、約１．０インチ（２．５４ｃｍ）から約３．０インチ（７．６２ｃｍ）のヒール・トゥー・トウ長さを有することができる。
【００５３】
提示されている実施形態では、チューニング・エレメント１５０の主要部分６５１は、約０．４５インチ（１．１４３ｃｍ）の（チューニング・エレメント・ボトム側６５３からキャップ・ボトム・リップ６６３への）高さを有している。他の実施形態では、主要部分６５１は、約０．１インチ（０．２５４ｃｍ）から約１．０インチ（２．５４ｃｍ）の高さを有することができる。たとえば、主要部分６５１は、約０．１インチ（０．２５４ｃｍ）、０．１５インチ（０．３８１ｃｍ）、０．２インチ（０．５０８ｃｍ）、０．２５インチ（０．６３５ｃｍ）、０．３インチ（０．７６２ｃｍ）、０．３５インチ（０．８８９ｃｍ）、０．４インチ（１．０１６ｃｍ）、０．４５インチ（１．１４３ｃｍ）、０．５インチ（１．２７ｃｍ）、０．５５インチ（１．３９７ｃｍ）、０．６インチ（１．５２４ｃｍ）、０．６５インチ（１．６５１ｃｍ）、０．７インチ（１．７７８ｃｍ）、０．７５インチ（１．９０５ｃｍ）、０．８インチ（２．０３２ｃｍ）、０．８５インチ（２．１５９ｃｍ）、０．９インチ（２．２８６ｃｍ）、０．９５インチ（２．４１３ｃｍ）、１．０インチ（２．５４ｃｍ）の高さ、または、それらの高さの値の間にある任意の他の適切な高さの値を有することができ、また、それらの高さの値のうちのいずれか１つから、それらの高さの値のうちの他のいずれか１つまでの範囲にあることができる。たとえば、主要部分６５１は、約０．１インチ（０．２５４ｃｍ）から約０．７インチ（１．７７８ｃｍ）の高さを有することができる。
【００５４】
提示されている実施形態では、キャップ６６１は、約０．１５インチ（０．３８１ｃｍ）の（キャップ・ボトム・リップ６６３からキャップ・トップ側６６８への）高さを有している。他の実施形態では、キャップ６６１は、約０．０２インチ（０．０５０８ｃｍ）から約１．０インチ（２．５４ｃｍ）の高さを有することができる。たとえば、キャップ６６１は、約０．０２インチ（０．０５０８ｃｍ）、０．０５インチ（０．１２７ｃｍ）、０．１インチ（０．２５４ｃｍ）、０．１５インチ（０．３８１ｃｍ）、０．２インチ（０．５０８ｃｍ）、０．２５インチ（０．６３５ｃｍ）、０．３インチ（０．７６２ｃｍ）、０．３５インチ（０．８８９ｃｍ）、０．４インチ（１．０１６ｃｍ）、０．４５インチ（１．１４３ｃｍ）、０．５インチ（１．２７ｃｍ）、０．５５インチ（１．３９７ｃｍ）、０．６インチ（１．５２４ｃｍ）、０．６５インチ（１．６５１ｃｍ）、０．７インチ（１．７７８ｃｍ）、０．７５インチ（１．９０５ｃｍ）、０．８インチ（２．０３２ｃｍ）、０．８５インチ（２．１５９ｃｍ）、０．９インチ（２．２８６ｃｍ）、０．９５インチ（２．４１３ｃｍ）、１．０インチ（２．５４ｃｍ）の高さ、または、それらの高さの値の間にある任意の他の適切な高さの値を有することができ、また、それらの高さの値のうちのいずれか１つから、それらの高さの値のうちの他のいずれか１つまでの範囲にあることができる。たとえば、キャップ６６１は、約０．０２インチ（０．０５０８ｃｍ）から約０．４インチ（１．０１６ｃｍ）の高さを有することができる。
【００５５】
提示されている実施形態では、チューニング・エレメントは、約０．６インチ（１．５２４ｃｍ）の（チューニング・エレメント・ボトム側６５３からキャップ・トップ側６６８への）高さを有している。他の実施形態では、チューニング・エレメント１５０は、約０．１インチ（０．２５４ｃｍ）から約２．０インチ（５．０８ｃｍ）の高さを有することができる。たとえば、チューニング・エレメント１５０は、約０．１インチ（０．２５４ｃｍ）、０．１５インチ（０．３８１ｃｍ）、０．２インチ（０．５０８ｃｍ）、０．２５インチ（０．６３５ｃｍ）、０．３インチ（０．７６２ｃｍ）、０．３５インチ（０．８８９ｃｍ）、０．４インチ（１．０１６ｃｍ）、０．４５インチ（１．１４３ｃｍ）、０．５インチ（１．２７ｃｍ）、０．５５インチ（１．３９７ｃｍ）、０．６インチ（１．５２４ｃｍ）、０．６５インチ（１．６５１ｃｍ）、０．７インチ（１．７７８ｃｍ）、０．７５インチ（１．９０５ｃｍ）、０．８インチ（２．０３２ｃｍ）、０．８５インチ（２．１５９ｃｍ）、０．９インチ（２．２８６ｃｍ）、０．９５インチ（２．４１３ｃｍ）、１．０インチ（２．５４ｃｍ）、１．０５インチ（２．６６７ｃｍ）、１．１インチ（２．７９４ｃｍ）、１．１５インチ（２．９２１ｃｍ）、１．２インチ（３．０４８ｃｍ）、１．２５インチ（３．１７５ｃｍ）、１．３インチ（３．３０２ｃｍ）、１．３５インチ（３．４２９ｃｍ）、１．４インチ（３．５５６ｃｍ）、１．４５インチ（３．６８３ｃｍ）、１．５インチ（３．８１ｃｍ）、１．５５インチ（３．９３７ｃｍ）、１．６インチ（４．０６４ｃｍ）、１．６５インチ（４．１９１ｃｍ）、１．７インチ（４．３１８ｃｍ）、１．７５インチ（４．４４５ｃｍ）、１．８インチ（４．５７２ｃｍ）、１．８５インチ（４．６９９ｃｍ）、１．９インチ（４．８２６ｃｍ）、１．９５インチ（４．９５３ｃｍ）、２．０インチ（５．０８ｃｍ）の高さ、または、それらの高さの値の間にある任意の他の適切な高さの値を有することができ、また、それらの高さの値のうちのいずれか１つから、それらの高さの値のうちの他のいずれか１つまでの範囲にあることができる。たとえば、チューニング・エレメント１５０は、約０．１インチ（０．２５４ｃｍ）から約１．０インチ（２．５４ｃｍ）の高さを有することができる。
【００５６】
提示されている実施形態では、キャップ６６１は、キャップ・ヒール側７６７とキャップ・トウ側６６４との間の中間点において、約０．２８インチ（０．７１１２ｃｍ）の（キャップ・フロント側６６６からキャップ・リア側６６５への）フロント・トゥー・リア厚さ（ｆｒｏｎｔ−ｔｏ−ｒｅａｒ  ｔｈｉｃｋｎｅｓｓ）を有しており、主要部分６５１は、チューニング・エレメント・ヒール側７５７とチューニング・エレメント・トウ側６５４との間の中間点において、約０．２２インチ（０．５５８ｃｍ）のフロント・トゥー・リア厚さを有しており、主要部分６５１は、チューニング・エレメント・ヒール側７５７およびチューニング・エレメント・トウ側６５４において、約０．１インチ（０．２５４ｃｍ）のフロント・トゥー・リア厚さを有している。さまざまな実施形態では、チューニング・エレメント１５０は、約０．０２５インチ（０．０６３５）以上のフロント・トゥー・リア厚さを有することができ、それは、たとえば、チューニング・エレメント・ヒール側７５７、チューニング・エレメント・トウ側６５４、キャップ・ヒール側７６７、および／またはキャップ・トウ側６６４における厚さを含む。多くの実施形態では、チューニング・エレメント１５０は、約０．５インチ（１．２７ｃｍ）以下のフロント・トゥー・リア厚さを有することができ、それは、たとえば、チューニング・エレメント・ヒール側７５７とチューニング・エレメント・トウ側６５４との間の中間点における厚さを含む。多くの実施形態では、チューニング・エレメント・ヒール側７５７、チューニング・エレメント・トウ側６５４、キャップ・ヒール側７６７、および／またはキャップ・トウ側６６４における、チューニング・エレメント１５０のフロント・トゥー・リア厚さは、チューニング・エレメント・ヒール側７５７とチューニング・エレメント・トウ側６５４との間の中間点におけるチューニング・エレメント１５０のフロント・トゥー・リア厚さよりも小さくてもよい。他の実施形態では、チューニング・エレメント１５０のフロント・トゥー・リア厚さは、ランニング・エレメント・ヒール側７５７とチューニング・エレメント・トウ側６５４との間で均一とすることができる。さらなる他の実施形態では、チューニング・エレメント・ヒール側７５７、チューニング・エレメント・トウ側６５４、キャップ・ヒール側７６７、および／またはキャップ・トウ側６６４における、チューニング・エレメント１５０のフロント・トゥー・リア厚さは、チューニング・エレメント・ヒール側７５７とチューニング・エレメント・トウ側６５４との間の中間点におけるチューニング・エレメント１５０のフロント・トゥー・リア厚さよりも大きくてもよい。
【００５７】
多数の実施形態では、キャップ・ボトム・リップ６６３は、チューニング・エレメント・ヒール側７５７を越えてキャップ・ヒール側７６７まで、チューニング・エレメント・トウ側６５４を越えてキャップ・トウ側６６４まで、チューニング・エレメント・リア側６５５を越えてキャップ・リア側６６５まで、および／または、チューニング・エレメント・フロント側６５６を越えてキャップ・フロント側６６６まで、延在することができる。図６〜図８に示されている例では、キャップ・ボトム・リップは、囲むか、または、そうでなければ、１つまたは複数の方向に約０．０５インチ（０．１２７ｃｍ）だけ延在している。他の実施形態では、キャップ・ボトム・リップ６６３は、１つまたは複数の方向に、約０．０２インチ（０．０５０８ｃｍ）から約０．５インチ（０．１２７ｃｍ）だけ延在することができる。たとえば、キャップ・ボトム・リップ６６３は、約０．０２インチ（０．０５０８ｃｍ）、０．０２５インチ（０．０６３５ｃｍ）、０．０５インチ（０．１２７ｃｍ）、０．０７５インチ（０．１９０５ｃｍ）、０．１インチ（０．２５４ｃｍ）、０．１２５インチ（０．３１７５ｃｍ）、０．１５インチ（０．３８１ｃｍ）、０．１７５インチ（０．４４４５ｃｍ）、０．２インチ（０．５０８ｃｍ）、０．２２５インチ（０．５７１５ｃｍ）、０．２５インチ（０．６３５ｃｍ）、０．２７５インチ（０．６９８５ｃｍ）、０．３インチ（０．７６２ｃｍ）、０．３２５インチ（０．８２５５ｃｍ）、０．３５インチ（０．８８９ｃｍ）、０．３７５インチ（０．９５２５ｃｍ）、０．４インチ（１．０１６ｃｍ）、０．４２５インチ（１．０７９５ｃｍ）、０．４５インチ（１．１４３ｃｍ）、０．４７５インチ（１．２０６５ｃｍ）、０．５インチ（１．２７ｃｍ）、または、それらの長さの値の間にある任意の他の適切な長さの値だけ延在することができ、また、それらの長さの値のうちのいずれか１つから、それらの長さの値のうちの他のいずれか１つまでの範囲にあることができる。多くの実施形態では、キャップ・ボトム・リップ６６３は、２つ以上の方向に異なる寸法だけ延在することができる。
【００５８】
図面を進めて見てみると、図９は、チューニング・エレメント１５０を備えるゴルフクラブヘッド１００の、図２の中の線３−３に沿った側断面図を図示している。図１０は、チューニング・エレメント１５０を備えるゴルフクラブヘッド１００の、図２の中の線３−３に沿った、側部、ボトム、リアの斜視断面図を図示している。図９〜図１０に示されているように、ポート構造部３３０は、チューニング・エレメント１５０を受け入れおよび／または固定するように構成され得る。主要部分６５１は、スロット３３１の中にフィットすることができ、および／または、スロット３３１と実質的に一致することができ、および／または、キャップ６６１は、キャップ凹部３４０の中にフィットすることができる。多数の実施形態では、ポート構造部３３０は、チューニング・エレメント１５０よりもわずかに大きくてもよく、チューニング・エレメント１５０がポート構造部３４０の中へ挿入されることを可能にする。チューニング・エレメント１５０は、ポート構造部に接着され、または、そうでなければ付加され得る。たとえば、チューニング・エレメント１５０は、エポキシなどのような接着剤を使用して、ポート構造部の中に固定され得る。特定の実施形態では、エポキシは、少なくとも約０．００１インチ（０．００２５４ｃｍ）の厚さを有することができ、ポート構造部３３０は、１つまたは複数の方向に、チューニング・エレメント１５０よりも大きい、少なくとも約０．００１インチ（０．００２５４ｃｍ）とすることができる。たとえば、ポート構造部は、それぞれの方向に、チューニング・エレメント１５０よりも大きい、約０．０１インチ（０．０２５４ｃｍ）とすることができる。図９および図１０に示されている実施形態では、チューニング・エレメント・ボトム側６５３とスロット・ベース３３３との間に、チューニング・エレメント１５０の他のパーツとポート構造部３４０との間よりも大きいギャップが存在していてもよい。このギャップは、過剰な量の接着剤を保持するために使用され得、接着剤が、スロット３３１またはポート構造部３４０からオーバーフローしないようになっている。他の実施形態では、（キャップ６６１の有無にかかわらず）チューニング・エレメント１５０は、スナップ、リブ、締結具、または、他の適切な機械的なメカニズムなどのような、機械的なメカニズムを使用して、ポート構造部３３０の中に保持され得る。
【００５９】
多くの実施形態では、チューニング・エレメント１５０がポート構造部３３０の中に着座させられるときに、チューニング・エレメント・トウ側６５４（図６〜図７）は、トウ壁部３３４（図３〜図４）と境界をなすことができ、チューニング・エレメント・ヒール側７５７（図７）は、ヒール壁部５３７（図５）と境界をなすことができ、チューニング・エレメント・リア側６５５は、リア壁部３３５と境界をなすことができ、チューニング・エレメント・フロント側６５６は、フロント壁部３３６と境界をなすことができ、および／または、チューニング・エレメント・ボトム側６５３は、スロット・ベース３３３と境界をなすことができる。多数の実施形態では、チューニング・エレメント１５０がポート構造部３３０の中に着座させられるときに、キャップ６６１は、スロット３３１を越えて延在することができ、また、フロント壁部３３６、リア壁部３３５、ヒール壁部５３７（図５）、および／またはトウ壁部３３４（図３〜図４）を越えて延在するスロット開口部３３２（図３〜図５）において、キャップ凹部３４０の中に着座させられ得る。
【００６０】
さまざまな実施形態では、キャップ６６１は、キャップ凹部３４０の中にフィットすることができ、および／または、キャップ・トップ側６６８は、リア部分１２０および／またはバックフェイス１１２の取り囲む形状に一致するように形状決めされ得る。たとえば、キャップ・トップ側６６８は、１つまたは複数のカーブまたは角度が付けられた表面を含むことができる。いくつかの実施形態では、アップリケが、キャップ・トップ側６６８、リア部分１２０、バックフェイス１１２、ならびに／または、キャップ・トップ側６６８、リア部分１２０、および／もしくはバックフェイス１１２の間の境界の上に加えられ得、リア部分１２０、キャップ・トップ側６６８、バックフェイス１１２、および／もしくは、それらの境界が、シームレスに見え得るようになっており、ならびに／または、ゴルフクラブヘッド１００の中のチューニング・エレメント１５０の存在が、部分的にまたは完全に隠され得るようになっている。いくつかの実施形態では、アップリケは、キャップ・トップ側６６８をカバーすることができ、また、キャップ６６１の側部の周りに巻き付け、キャップ・フロント側６６６（図６、図８）、キャップ・リア側６６５（図６〜図８）、キャップ・トウ側６６４（図６〜図８）、および／またはキャップ・ヒール側７６７（図７〜図８）のすべての少なくとも一部分をカバーすることができ、キャップ６６１がキャップ凹部３４０の中に位置するときに、アップリケの縁部が目につかないように隠されるようになっている。いくつかの実施形態では、キャップ凹部３４０は、１つまたは複数の方向に、キャップ６６１よりも大きい、少なくとも約０．０１インチ（０．０２５４ｃｍ）とすることができる。たとえば、キャップ凹部３４０は、それぞれの方向に、キャップ６６１よりも大きい、約０．０３インチ（０．０７６２ｃｍ）とすることができる。
【００６１】
いくつかの実施形態では、ポート構造部３３０および／またはチューニング・エレメント１５０の形状は、チューニング・エレメント１５０が１つの配向だけにポート構造部３３０の中に挿入されおよび／またはフィットするようになっていてもよく、それは、有利には、組み立ての間に、チューニング・エレメント１５０が不注意に間違って挿入されることを防止することができる。たとえば、１つまたは複数の方向へのチューニング・エレメント１５０、ポート構造部３３０、および／もしくは、その１つまたは複数のエレメントのアーチ形の形状、ならびに／または、キャップ６６１および／またはキャップ凹部６６１の形状は、チューニング・エレメント１５０が１つの配向だけにポート構造部３３０にフィットし得るように構成され得る。
【００６２】
さまざまな実施形態では、ポート構造部３３０および／またはチューニング・エレメント１５０の形状は、ポート構造部３３０とチューニング・エレメント１５０との間の接触の表面積を増加させるように構成され得、それは、有益であることには、チューニング・エレメント１５０をポート構造部３３０に固定する接着剤の結合強度を増加させることができ、また、チューニング・エレメント１５０がポート構造部３３０から外れることを防止することができる。たとえば、特定の実施形態では、チューニング・エレメント１５０の高さは、チューニング・エレメント１５０のフロント・トゥー・リア厚さよりも大きくてもよく、および／または、スロット開口部３３２からスロット・ベース３３３への距離は、フロント壁部３３６からリア壁部３３５への距離よりも大きくてもよい。示されている実施形態では、ポート構造部３３０は、約２．４平方インチ（ｉｎ２）（１５．４８平方ｃｍ（ｃｍ２）の表面積を有している。他の実施形態では、ポート構造部３３０は、約０．５ｉｎ２（３．２３ｃｍ２）から約５．５ｉｎ２（３５．４８ｃｍ２）の表面積を有することができる。たとえば、ポート構造部３３０は、約０．５ｉｎ２（３．２３ｃｍ２）、０．７５ｉｎ２（４．８４ｃｍ２）、１．０ｉｎ２（６．４５ｃｍ２）、１．２５ｉｎ２（８．０６ｃｍ２）、１．５ｉｎ２（９．６８ｃｍ２）、１．７５ｉｎ２（１１．２９ｃｍ２）、２．０ｉｎ２（１３．９０ｃｍ２）、２．２５ｉｎ２（１４．５２ｃｍ２）、２．５ｉｎ２（１６．１３ｃｍ２）、２．７５ｉｎ２（１７．７４ｃｍ２）、３．０ｉｎ２（１９．３５ｃｍ２）、３．２５ｉｎ２（２０．９７ｃｍ２）、３．５ｉｎ２（２２．５８ｃｍ２）、３．７５ｉｎ２（２４．１９ｃｍ２）、４．０ｉｎ２（２５．８１ｃｍ２）、４．２５ｉｎ２（２７．４２ｃｍ２）、４．５ｉｎ２（２９．０３ｃｍ２）、４．７５ｉｎ２（３０．６５ｃｍ２）、５．０ｉｎ２（３２．２６ｃｍ２）、５．２５ｉｎ２（３３．８７ｃｍ２）、５．５ｉｎ２（３５．４８ｃｍ２）の表面積、または、それらの表面積の値の間にある任意の他の適切な表面積の値を有することができ、また、それらの表面積の値のうちのいずれか１つから、それらの表面積の値のうちの他のいずれか１つまでの範囲にあることができる。多くの実施形態では、ポート構造部３３０に接触しているチューニング・エレメント１５０の表面は、ポート構造部３３０と同様のまたは同一の表面積を有することができる。
【００６３】
示されている実施形態では、ポート構造部３３０は、約３．３ｃｃの体積を有している。他の実施形態では、ポート構造部３３０は、約０．８ｃｃから約１６．０ｃｃの体積を有することができる。たとえば、ポート構造部３３０は、約０．８ｃｃ、１．０ｃｃ、１．２５ｃｃ、１．５ｃｃ、１．７５ｃｃ、２．０ｃｃ、２．２５ｃｃ、２．５ｃｃ、２．７５ｃｃ、３．０ｃｃ、３．２５ｃｃ、３．５ｃｃ、３．７５ｃｃ、４．０ｃｃ、４．２５ｃｃ、４．５ｃｃ、４．７５ｃｃ、５．０ｃｃ、５．２５ｃｃ、５．５ｃｃ、５．７５ｃｃ、６．０ｃｃ、６．２５ｃｃ、６．５ｃｃ、６．７５ｃｃ、７．０ｃｃ、７．２５ｃｃ、７．５ｃｃ、７．７５ｃｃ、８．０ｃｃ、８．２５ｃｃ、８．５ｃｃ、８．７５ｃｃ、９．０ｃｃ、９．２５ｃｃ、９．５ｃｃ、９．７５ｃｃ、１０．０ｃｃ、１０．２５ｃｃ、１０．５ｃｃ、１０．７５ｃｃ、１１．０ｃｃ、１１．２５ｃｃ、１１．５ｃｃ、１１．７５ｃｃ、１２．０ｃｃ、１２．２５ｃｃ、１２．５ｃｃ、１２．７５ｃｃ、１３．０ｃｃ、１３．２５ｃｃ、１３．５ｃｃ、１３．７５ｃｃ、１４．０ｃｃ、１４．２５ｃｃ、１４．５ｃｃ、１４．７５ｃｃ、１５．０ｃｃ、１５．２５ｃｃ、１５．５ｃｃ、１５．７５ｃｃ、１６．０ｃｃの体積、または、それらの体積の値の間にある任意の他の適切な体積の値を有することができ、また、それらの体積の値のうちのいずれか１つから、それらの体積の値のうちの他のいずれか１つまでの範囲にあることができる。多くの実施形態では、チューニング・エレメント１５０は、ポート構造部３３０と同様のまたは同一の体積を有することができる。
【００６４】
図面を進めて見てみると、図１１は、チューニング・エレメント１５０を備えるゴルフクラブヘッド１００の、図２の中の線３−３に沿った側断面図を図示しており、インパクトのときの力垂直線１１７０を示している。多くの実施形態では、ゴルフクラブヘッド１００の中のチューニング・エレメント１５０および／またはポート構造部３３０の形状、構成、および／または配向は、ゴルフボールとのゴルフクラブヘッド１００のインパクトのときに、力垂直線１１７０によって示されているような、チューニング・エレメント１５０に対する力が、チューニング・ポート構造部から外へチューニング・エレメントを自然と押す可能性がある、さまざまな他の従来のチューニング・ポート構造部と比較して、ポート構造部３３０から外へチューニング・エレメント１５０を押し出す力、および、ポート構造部３３０の中へチューニング・エレメント１５０を押し込む力を、より均一に分配および／またはバランスさせることができるようになっていてもよい。たとえば、いくつかの実施形態では、リア壁部３３５の中心部分は、垂直力線１１７０に直交していてもよく、また、凸形とすることができ、リア壁部３３５のボトム部分が、チューニング・エレメント１５０に対する衝撃力をスロット・ベース３３３に向けて方向付けし得るようになっており、リア壁部３３５のトップ部分が、チューニング・エレメント１５０に対する衝撃力をスロット開口部３３２に向けて方向付けし得るようになっている。チューニング・エレメント１５０および／またはポート構造部３３０の構成は、有益であることには、チューニング・エレメント１５０がポート構造部３３０から不注意に外れてしまうことを防止することができる。
【００６５】
図面を進めて見てみると、図１２は、方法１２００に関するフローチャートを図示しており、方法１２００は、本開示によるゴルフクラブヘッドおよび／またはゴルフ・クラブを提供し、形成し、および／または製造するために使用され得る。方法１２００は、単に例示的なものであり、本明細書で提示されている実施形態に限定されない。方法１２００は、具体的には本明細書で示されていないまたは説明されていない多くの異なる実施形態または例の中で用いられ得る。いくつかの実施形態では、方法１２００の手順、プロセス、および／または、活動は、提示されている順序で実施され得る。他の実施形態では、方法１２００の手順、プロセス、および／または活動は、任意の適切な順序で実施され得る。さらなる他の実施形態では、方法１２００の手順、プロセス、および／または活動のうちの１つまたは複数は、組み合わせられ、またはスキップされ得る。いくつかの例では、ゴルフクラブヘッドは、ゴルフクラブヘッド１００（図１〜図５、図９〜図１１）と同様とすることができる。
【００６６】
図１２を参照すると、方法１２００は、ゴルフクラブヘッドのストライク部分を提供するためのブロック１２１０を含むことができる。いくつかの例では、ストライク部分は、ストライク部分１１０（図１〜図５、図９〜図１１）と同様とすることができる。ストライク部分は、ストライクフェイスを含むことができ、ストライクフェイスは、ストライクフェイス１１１（図１〜図５、図９〜図１１）と同様または同一とすることができる。ストライク部分は、バックフェイスを含むことができ、バックフェイスは、バックフェイス１１２（図１〜図５、図９〜図１１）と同様または同一とすることができる。バックフェイスは、ストライクフェイスの反対側にあることができる。バックフェイスは、バックフェイスのトップ・エンドにおいて、周囲部分を含むことができる。周囲部分は、周囲部分１１３（図１〜図５、図９〜図１１）と同様または同一とすることができる。ストライク部分は、鋳造、鍛造、フライス加工、機械加工、成形、および／または、他のプロセスを介して提供され得、ストライク部分は、単一のピースとすることができ、または、溶接、ろう付け、および／または接着剤などを介して一緒に連結されているいくつかのピースを含むことができる。
【００６７】
また、方法１２００は、ゴルフクラブヘッドのリア部分を提供するためのブロック１２２０を含むことができる。いくつかの実施形態では、リア部分は、リア部分１２０（図１〜図５、図９〜図１１）と同様または同一とすることができる。リア部分は、鋳造、鍛造、フライス加工、機械加工、成形、および／または、他のプロセスを介して提供され得、リア部分は、単一のピースとすることができ、または、溶接、ろう付け、および／または接着剤などを介して一緒に連結されているいくつかのピースを含むことができる。リア部分は、溶接、ろう付け、接着、および／または、他の機械的なもしくは化学的な締結具などによって、ストライク部分のボトム・エンドにおいて、ストライク部分に連結され得る。他の実施形態では、リア部分は、単一のピースの材料として鋳造されることなどによって、ストライク部分と一体的に形成され得る。これらの他の実施形態では、ブロック１２１０および１２２０は、互いに同時に実施され得る。
【００６８】
また、方法１２００は、ポート構造部を提供するためのブロック１２３０を含むことができる。ポート構造部は、ポート構造部３３０（図３〜図５、図９〜図１１）と同様または同一とすることができる。ポート構造部は、鋳造、鍛造、フライス加工、機械加工、成形、ツーリング、および／または、他のプロセスを介して提供され得、ポート構造部は、単一のピースとすることができ、または、溶接、ろう付け、および／または接着剤など介して一緒に連結されているいくつかのピースを含むことができる。いくつかの例では、ポート構造部および／またはそのエレメントは、ツーリング・ピック・ピースによって鋳造され得、ツーリング・ピック・ピースは、図１３〜図１４に示されているように、および、下記に説明されているように、固定点の周りにツーリング・ピック・ピースを回転させることによって、バックフェイスに干渉することなく、１つの運動で除去され得る。多くの実施形態では、バックフェイスに対する凹形カーブは、有益であることには、ゴルフクラブヘッドのより簡単な製造を促進させることができ、バックフェイスの一部分におけるストライク部分の厚さが、スロット開口部におけるストライクフェイスとフロント壁部との間の距離よりも大きいときでも、ポート構造部および／またはスロットが、ツーリング・ピック・ピースによって鋳造され得、ツーリング・ピック・ピースが、固定点の周りにツーリング・ピック・ピースを単純に回転させることなどによって、バックフェイスに干渉することなく、１つの運動で除去され得るようになっている。いくつかの実施形態では、ツーリング・ピック・ピースは、モールドが開けられた後に、手動で回転させられ、除去され得る。他の実施形態では、ツーリング・ピック・ピースは、モールドが開けられるときに、自動的に回転させられ、除去され得る。ポート構造部は、リア部分および／またはストライク部分の中に少なくとも部分的に画定され得、また、多くの実施形態では、リア部分および／またはストライク部分と一体的に形成され得る。したがって、ブロック１２３０は、ブロック１２１０および／または１２２０と同時に実施され得る。
【００６９】
ブロック１２３０のポート構造部は、スロットを含むことができ、スロットは、スロット３３１（図３〜図５、図９〜図１０）と同様または同一とすることができる。スロットは、スロット開口部３３２（図３〜図５、図１１）などのようなスロット開口部から、スロット・ベース３３３（図３〜図５、図９〜図１１）などのようなスロット・ベースへ延在することができる。スロット・ベースは、スロット開口部よりもストライク部分のボトム・エンドの近くに位置することができ、および／または、ストライク部分のボトム・エンドは、スロット開口部よりもスロット・ベースの近くに位置することができる。スロットは、ヒール壁部５３７（図５）などのようなヒール壁部、および、トウ壁部３３４（図３〜図４）などのようなトウ壁部を含むことができる。スロットは、リア壁部３３５（図３〜図５、図９〜図１１）などのようなリア壁部を含むことができ、リア壁部は、スロット開口部からスロット・ベースへ延在することができ、および／または、ヒール壁部からトウ壁部の間に延在することができる。リア壁部は、スロット開口部とスロット・ベースとの間に延在する第１の方向に沿って、リア壁部カーブを含むことができる。スロットは、フロント壁部３３６（図３〜図５、図９〜図１０）などのようなフロント壁部を含むことができ、フロント壁部は、スロット開口部からスロット・ベースへ延在することができ、および／または、ヒール壁部からトウ壁部の間に延在することができる。フロント壁部は、リア壁部よりもストライクフェイスの近くに位置することができ、および／または、ストライクフェイスは、リア壁部よりもフロント壁部の近くに位置することができる。フロント壁部は、スロット開口部とスロット・ベースとの間に延在する第１の方向に沿って、フロント壁部カーブを含むことができる。
【００７０】
また、方法１２００は、チューニング・エレメントをポート構造部に連結するためのブロック１２４０を含むことができる。チューニング・エレメントは、チューニング・エレメント１５０（図１〜図２、図６〜図１１）と同様または同一とすることができる。いくつかの例では、チューニング・エレメントの１つまたは複数のエレメントは、上記に説明されているものなどのように、ポート構造部の１つまたは複数のエレメントに連結され得る。たとえば、チューニング・エレメントは、固定点の周りにチューニング・エレメントを回転させることによって、ポート構造部の中に挿入され得る。チューニング・エレメントは、摩擦力、チューニング・エレメントとポート構造部との間の接着剤、および／または、チューニング・エレメントをポート構造部に取り付ける機械的な締結具などのような、１つまたは複数のメカニズムを介して、固定された位置に維持され得る。同じ例または他の例では、チューニング・エレメントは、ポート構造部の中の固定された位置から除去可能であり得、および／または、たとえば、異なる密度を有するチューニング・エレメントなどのような、１つまたは複数の他のチューニング・エレメントと交換可能であり得る。
【００７１】
いくつかの例では、方法１２００の異なるブロックのうちの１つまたは複数は、単一のブロックへと組み合わせられ得、または、同時に実施され得、および／または、そのようなブロックのシーケンスは変更され得る。たとえば、上記に示されているように、ブロック１２１０、１２２０、および／または１２３０は、いくつかの実施形態では、組み合わせられ、または同時に実施され得る。同じ実施形態または他の実施形態では、方法１２００のブロックのいくつかは、いくつかのサブ・ブロックへと細分され得る。たとえば、ブロック１２４０は、チューニング・エレメントを成形もしくはそうでなければ提供するためのサブ・ブロック、アップリケをチューニング・エレメントに連結するためのサブ・ブロック、チューニング・エレメントをポート構造部の中へ挿入するためのサブ・ブロック、および／または、チューニング・エレメントをポート構造部の中へ固定するための別のサブ・ブロックへと細分され得る。また、方法１２００がさらなるブロックまたは異なるブロックを含み得る例も存在することができる。例として、方法１２００は、ゴルフクラブシャフトをゴルフクラブヘッドに提供または連結するためのブロックを含むことができる。加えて、方法１２００が上記に説明されているブロックの一部だけを含み得る例が存在することができる。たとえば、ブロック１２４０は、チューニング・エレメントが必要とされないもしくは望まれない状況、または、チューニング・エレメントをポート構造部に連結するかどうかという決定がプレイヤーまたはエンド・ユーザーに任されている状況などのような、いくつかの実装形態では任意選択とすることができる。他の変形例が、本開示の範囲から逸脱することなく、方法１２００に関して実装され得る。
【００７２】
図面を進めて見てみると、図１３は、閉じた構成のモールド１３００を図示している。図１４は、開いた構成のモールド１３００を図示している。モールド１３００は、単に例示的なものであり、モールドの実施形態は、本明細書で提示されている実施形態に限定されない。モールドは、具体的には本明細書で示されていないまたは説明されていない多くの異なる実施形態または例の中で用いられ得る。多くの実施形態では、モールド１３００は、第１のモールド・ピース１３８０および第２のモールド・ピース１３８１を含むことができる。多数の実施形態では、第１のモールド・ピースは、第１のキャビティ部分１４８０（図１４）を含むことができ、および／または、第２のモールド・ピース１３８１は、第２のキャビティ部分１４８１（図１４）を含むことができる。多くの実施形態では、モールド１３００は、図１３に示されているように、閉じた構成へと閉じられ得、第１のモールド・ピース１３８１および第２のモールド・ピース１３８２が、第１のキャビティ部分１４８０（図１４）および第２のキャビティ部分１４８１（図１４）を取り囲み、第１のキャビティ部分１４８０および第２のキャビティ部分１４８１の中でのゴルフクラブヘッド・モールド１３０１の射出成形を可能にするようになっている。多数の実施形態では、モールド１３００は、図１４に示されているように、開いた構成へと開けられ得、ゴルフクラブヘッド・モールド１３０１（図１３）が、第１のキャビティ部分１４８０および第２のキャビティ部分１４８１から除去され得るようになっている。
【００７３】
いくつかの実施形態では、ゴルフクラブヘッド・モールド１３０１は、射出成形を通して、ワックスまたは別の適切な材料から作製され得、それは、インベストメント鋳造のために使用され、ゴルフクラブヘッド１００（図１〜図５、図９〜図１１）を形成することができる。多くの実施形態では、ゴルフクラブヘッド・モールド１３０１の形状は、ゴルフクラブヘッド１００（図１〜図５、図９〜図１１）の形状と同様または同一とすることができる。たとえば、ゴルフクラブヘッド・モールド１３０１は、ストライク部分１３１０、ストライクフェイス１３１１、バックフェイス１３１２、周囲部分１３１３、リア部分１３２０、ソール１３２１を含むことができる。ストライク部分１３１０は、形状がストライク部分１１０（図１〜図５、図９〜図１１）と同様または同一とすることができ、ストライクフェイス１３１１は、形状がストライクフェイス１１１（図１、図３〜図５、図９〜図１１）と同様または同一とすることができ、バックフェイス１３１２は、形状がバックフェイス１１２（図１〜図５、図９〜図１１）と同様または同一とすることができ、周囲部分１３１３は、形状が周囲部分１１３（図１〜図５、図９〜図１１）と同様または同一とすることができ、リア部分１３２０は、リア部分１２０（図１〜図５、図９〜図１１）と同様または同一とすることができ、および／または、ソール１３２１は、ソール１２１（図１〜図５、図９〜図１０）と同様または同一とすることができる。多くの実施形態では、ゴルフクラブヘッド・モールド１３０１は、ポート構造部１３３６を含むことができ、ポート構造部１３３６は、形状がポート構造部３３０（図３〜図５、図９〜図１１）と同様または同一とすることができる。
【００７４】
いくつかの実施形態では、第１のモールド・ピース１３８０は、ツーリング・ピース１３９０を含むことができる。多くの実施形態では、ツーリング・ピース１３９０は、ハブ１３９３において一緒に接続されている第１のアーム１３９１および第２のアーム１３９４を含むことができる。いくつかの実施形態では、ツーリング・ピース１３９０は、ハブ１３９３の上の回転点１３８４において、第１のモールド・ピース１３８０に回転可能に取り付けられ得る。いくつかの実施形態では、ツーリング・ピース１３９０は、図１３に示されているようなモールド位置と図１４に示されているような解放位置との間で回転させられ得る。多くの実施形態では、ツーリング・ピース１３９０は、第２のアーム１３９４に取り付けられているモールド部分１３９５を含むことができる。モールド部分１３９５は、１つまたは複数の表面を含むことができ、それは、図１３に示されているように、モールド１３００が閉じた構成になっているときに、および、ツーリング・ピース１３９０がモールド位置になっているときに、第１のキャビティ部分１４８０（図１４）および第２のキャビティ部分１４８１（図１４）の表面とともに、ゴルフクラブヘッド・モールド１３０１の射出成形のためのモールド表面を提供することができる。多くの実施形態では、たとえば、モールド部分１３９５は、リア・ツーリング表面１３９７、ベース・ツーリング表面１３９８、フロント・ツーリング表面１３９６、および／または、バックフェイス・ツーリング表面１３９９を含むことができる。たとえば、図１３に示されているように、リア・ツーリング表面１３９７、ベース・ツーリング表面１３９８、および／またはフロント・ツーリング表面１３９６は、ポート構造部１３３６を成形するために使用され得、および／または、バックフェイス・ツーリング表面１３９９は、モールドバックフェイス１３１２を成形するために使用され得る。
【００７５】
多数の実施形態では、第２のモールド・ピース１３８１は、突出部１３８３を含むことができる。いくつかの実施形態では、第１のモールド・ピース１３８０は、凹部１３８２を含むことができ、凹部１３８２は、突出部１３８３を受け入れるように構成され得る。いくつかの実施形態では、ツーリング・ピース１３９０のアーム１３９１は、表面１３９２を含むことができ、表面１３９２は、突出部１３８３に係合するように構成され、ツーリング・ピース１３９０を回転点１３８４の周りに回転させることができる。多くの実施形態では、ツーリング・ピース１３９０は、ばね荷重をかけられ、図１４に示されているような解放位置へと付勢され得る。いくつかの実施形態では、図１３に示されているように、モールド１３００を閉じるように、第２のモールド・ピース１３８１が、第１のモールド・ピース１３８０に向けて移動させられるとき、突出部１３８３が、表面１３９２を押し、図１３に示されているようなモールド位置へとツーリング・ピース１３９０を時計回りに回転させることができる。多数の実施形態では、ツーリング・ピース１３９０のモールド部分１３９５は、回転点１３８４を中心とした円形１３８５の一部分に沿って、回転点１３８４の周りに回転させられ得る。たとえば、リア・ツーリング表面１３９７は、円形１３８５の一部分に沿って回転することができる。いくつかの実施形態では、モールド１３００は開けられ得、それは、ツーリング・ピース１３９０が解放位置において付勢されているときには、ツーリング・ピース１３９０が自動的に回転して図１４に示されているような解放位置に戻ることを可能にすることができる。
【００７６】
多くの実施形態では、ツーリング・ピース１３９０がモールド位置にあり、モールド１３００が、図１３に示されているように、閉じた構成になっているときには、第１のキャビティ部分１４８０および第２のキャビティ部分１４８１の表面は、モールド部分１３９５とともに、ゴルフクラブヘッド・モールド１３０１の射出成形のための成形表面を提供することができる。ゴルフクラブヘッド・モールド１３０１が形成されると、ツーリング・ピース１３９０は、図１４に示されているようにモールド１３００が開けられるときに、自動的に回転して解放位置に戻ることができる。図１４に示されているように、モールド１３００が開けられるときに、ツーリング・ピース１３９０が回転させられて解放位置に戻るとき、モールド部分１３９５は、ゴルフクラブヘッド・モールド１３０１のポート構造部１３３６から自動的に除去され得、それは、有益であることには、ゴルフクラブヘッド・モールド１３０１の射出成形の後で、ゴルフクラブヘッド・モールド１３０１が単一の運動でモールド１３００から除去されることを可能にすることができる。たとえば、第２のモールド・ピース１３８１が第１のモールド・ピース１３８０から引き離されることによって、または、その逆も同様に、モールド１３００が開けられるとき、ツーリング・ピース１３９０のばね荷重式の付勢は、表面１３９２が突出部１３８３に追従することを結果として生じさせることができ、ツーリング・ピース１３９０が、回転点１３８４の周りに反時計回りに回転させられ得るようになっており、また、ゴルフクラブヘッド・モールド１３０１がモールド１３００から除去されるのと同時に、モールド部分１３９５が、ゴルフクラブヘッド・モールド１３０１のポート構造部１３３６から自動的に解除し得るようになっている。
【００７７】
図面を進めて見てみると、図１５は、さまざまな実施形態による、ゴルフクラブヘッドを形成する方法１５００に関するフローチャートを図示している。方法１５００は、単に例示的なものであり、本明細書で提示されている実施形態に限定されない。方法１５００は、具体的には本明細書で示されていないまたは説明されていない多くの異なる実施形態または例の中で用いられ得る。いくつかの実施形態では、方法１５００の手順、プロセス、および／または、活動は、提示されている順序で実施され得る。他の実施形態では、方法１５００の手順、プロセス、および／または活動は、任意の適切な順序で実施され得る。さらなる他の実施形態では、方法１５００の手順、プロセス、および／または活動のうちの１つまたは複数は、組み合わせられ、またはスキップされ得る。いくつかの例では、ゴルフクラブヘッドは、ゴルフクラブヘッド１００（図１〜図５、図９〜図１１）と同様とすることができる。
【００７８】
図１５を参照すると、いくつかの実施形態では、方法１５００は、第１のキャビティ部分およびツーリング・ピースを含む第１のモールド・ピースを提供するブロック１５１０を含むことができる。第１のモールド・ピースは、第１のモールド・ピース１３８０（図１３〜図１４）と同様または同一とすることができる。第１のキャビティ部分は、第１のキャビティ部分１４８０（図１４）と同様または同一とすることができる。ツーリング・ピースは、ツーリング・ピース１３９０（図１３〜図１４）と同様または同一とすることができる。多数の実施形態では、ツーリング・ピースは、モールド位置から解放位置へ、第１のモールド・ピースの上の固定点の周りに、第１のモールド・ピースに対して回転するように構成され得る。固定点は、回転点１３８４（図１３〜図１４）と同様または同一とすることができる。モールド位置は、図１３に示されているツーリング・ピース１３９０の位置と同様または同一とすることができる。解放位置は、図１４に示されているツーリング・ピース１３９０の位置と同様または同一とすることができる。
【００７９】
また、いくつかの実施形態では、方法１５００は、第２のキャビティ部分を含む第２のモールド・ピースを提供するブロック１５２０を含むことができる。第２のモールド・ピースは、第２のモールド・ピース１３８１（図１３〜図１４）と同様または同一とすることができる。第２のキャビティ部分は、第２のキャビティ部分１４８１（図１４）と同様または同一とすることができる。
【００８０】
多数の実施形態では、方法１５００は、第２のモールド・ピースを第１のモールド・ピースに対して閉じる（または、その逆も同様である）ブロック１５３０をさらに含むことができ、第１および第２のモールド・ピースが第１および第２のキャビティ部分を取り囲むようになっており、ツーリング・ピースがモールド位置にあるようになっており、また、ツーリング・ピースの一部分が、少なくとも第１のキャビティ部分の中へ挿入されるようになっている。たとえば、図１３において第２のモールド・ピース１３８１が第１のモールド・ピース１３８０に対して閉じられるように、第２のモールド・ピースは、第１のモールド・ピースに対して閉じられ得る。ツーリング・ピースの一部分は、リア・ツーリング表面１３９７（図１３）、ベース・ツーリング表面１３９８（図１３）、フロント・ツーリング表面１３９６（図１３）、および／またはバックフェイス・ツーリング表面１３９９（図１３）などのような、モールド部分１３９５（図１３〜図１４）またはその一部分と同様とすることができる。
【００８１】
いくつかの実施形態では、方法１５００は、第１および第２のキャビティ部分の中で射出成形を成形するブロック１５４０を追加的に含むことができる。射出成形は、ゴルフクラブヘッド・モールドを含むことができる。ゴルフクラブヘッド・モールドは、ゴルフクラブヘッド・モールド１３０１（図１３）と同様または同一とすることができる。多くの実施形態では、ゴルフクラブヘッド・モールドは、ストライク部分、リア部分、および、リア部分の中に少なくとも部分的に画定されたポート構造部を含むことができる。ストライク部分はストライク部分１３１０（図１３）と同様または同一とすることができる。リア部分は、リア部分１３２０（図１３）と同様または同一とすることができる。ポート構造部は、ポート構造部１３３６と同様または同一とすることができる。いくつかの実施形態では、ツーリング・ピースの一部分は、ポート構造部と実質的に一致することができる。多くの実施形態では、ゴルフクラブヘッド・モールドは、ワックスまたは別の適切な成形材料を使用する射出成形を通して成形され得る。多くの実施形態では、ワックスは、方法１５００の次のブロックを実施する前に、ゴルフクラブヘッド・モールドを形成するように凝固することができる。
【００８２】
多数の実施形態では、方法１５００は、第１のモールド・ピースから第２のモールド・ピースを開ける（または、その逆も同様である）ブロック１５５０をさらに含むことができ、ツーリング・ピースが、ポート構造部の中のモールド位置から解放位置へと離れるように、固定点の周りに回転させられるようになっている。たとえば、図１４において第２のモールド・ピース１３８１が第１のモールド・ピース１３８０から開けられるように、第２のモールド・ピースは、第１のモールド・ピースから開けられ得る。ゴルフクラブヘッド・モールドは、第１のモールド・ピース、第２のモールド・ピース、およびツーリング・ピースから同時に除去され得、次いで、従来のインベストメント鋳造プロセスによるインベストメント鋳造のために使用され得る。たとえば、ゴルフクラブヘッド・モールドは、セラミック鋳造によってコーティングされ得、ゴルフクラブヘッド・モールドのワックスは、セラミック鋳造から溶融させられ得、金属は、ゴルフクラブヘッドを形成するために、セラミック鋳造の中へ注がれ得、セラミック鋳造は、ゴルフクラブヘッドから取り除かれ得る。
【００８３】
ポート構造部を備えるゴルフクラブヘッド、チューニング・エレメント、および、関連の方法が、特定の実施形態を参照して説明されてきたが、さまざまな変更が、本開示の精神または範囲から逸脱することなく行われ得るということが当業者によって理解されることとなる。たとえば、当業者にとって、方法１２００（図１２）のブロック１２１０およびブロック１２２０は、多くの異なる手順、プロセス、および活動から構成され得、また、多くの異なるモジュールによって、多くの異なる順序で実施され得るということ、図１〜図１５のさまざまなエレメントは修正され得るということ、および、特定のこれらの実施形態の先述の議論は、すべての可能性のある実施形態の完全な説明を必ずしも提示していないということが容易に明らかであることとなる。
【００８４】
ゴルフのルールが時折変更し得る（例えば、米国ゴルフ協会（ＵＳＧＡ）、Ｒｏｙａｌ  ａｎｄ  Ａｎｃｉｅｎｔ  Ｇｏｌｆ  Ｃｌｕｂ  ｏｆ  Ｓｔ．Ａｎｄｒｅｗｓ（Ｒ＆Ａ）等の、ゴルフ標準組織および／または管理組織によって、新しい規定が採用され得るまたは古いルールが削除または修正され得る）ため、本明細書に記載の装置、方法、および製造物品に関連するゴルフ用品は、任意の特定の時間に、ルールに準拠するまたは準拠しないことがある。したがって、本明細書に記載する装置、方法、および製造物品に関連するゴルフ用品は、準拠または非準拠ゴルフ用品として、広告、売り出し、および／または販売され得る。本明細書に記載の装置、方法、および製造物品は、この点において限定されない。
【００８５】
上記の例がアイアン・タイプのクラブ、ウェッジ・タイプのクラブまたはハイブリッド・タイプのクラブに関連して説明され得る一方、本明細書で説明された装置、方法、および製造品は、ドライバー・ウッド・タイプのゴルフクラブ、フェアウェー・ウッド・タイプのゴルフクラブまたはパター・タイプのゴルフクラブなど、他の種類のゴルフクラブに適用可能であり得る。代替で、本明細書で説明された装置、方法、および製造品は、ホッケースティック、テニスラケット、釣り竿、スキーのストックなど、他の種類のスポーツ用具に適用可能であり得る。
【００８６】
そのような変更のさらなる例を、先の説明の中で挙げてきた。さまざまな図の特徴のうちの１つまたは複数を有する異なる実施形態の、他の置換も同様に企図される。したがって、本実施例の開示は、例示することを意図したものであり、限定することを意図したものではない。本開示の範囲は、添付の特許請求の範囲によって求められる範囲にのみ限定されることが意図される。
【００８７】
本明細書で論じたポート構造部及びチューニング・エレメントを有するクラブヘッドおよび関連方法は、さまざまな実施形態において実施することができ、これらの実施形態のうちのいくつかについての先の議論は、必ずしも可能なあらゆる実施形態の完全な説明になっているとは限らない。そうではなく、図面の詳細な説明および図面自体が、少なくとも１つの好ましい実施形態を開示しており、代替実施形態を開示していることもある。
【００８８】
１つまたは複数の要素の置き換えは、修理ではなく再構成となる。さらに、利益、他の利点、および問題に対する解決策について、特定の実施形態に関して説明してきた。しかし、利益、利点、問題に対する解決策、および任意の利益、利点、もしくは解決策を生じさせ、またはより顕著にさせることのできる任意の１つまたは複数の要素を、請求項のうちのいずれかまたは全ての決定的に重要な、必要な、または不可欠な特徴または要素であると解釈することは、そのような利益、利点、解決策、または要素がそのような請求項において明記されていない限り、すべきはでない。
【００８９】
さらに、本明細書で開示された実施形態および限定は、実施形態および／または限定が、（１）請求項において明示的に請求されていない場合、および、（２）均等物の原則の下での請求項における明示的な要素および／もしくは限定である、または、そのような要素および／もしくは限定と潜在的に均等である場合、公有の原則において公衆に捧げられるものではない。
【図１】
2018149338.tif 000003
【図２】
2018149338.tif 000004
【図３】
2018149338.tif 000005
【図４】
2018149338.tif 000006
【図５】
2018149338.tif 000007
【図６】
2018149338.tif 000008
【図７】
2018149338.tif 000009
【図８】
2018149338.tif 000010
【図９】
2018149338.tif 000011
【図１０】
2018149338.tif 000012
【図１１】
2018149338.tif 000013
【図１２】
2018149338.tif 000014
【図１３】
2018149338.tif 000015
【図１４】
2018149338.tif 000016
【図１５】
2018149338.tif 000017
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
ストライク部分と、リア部分と、ポート構造部と、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記リア部分は、前記ストライク部分のボトム・エンドにおいて前記ストライク部分に連結されており、
前記ポート構造部は、前記リア部分の中に少なくとも部分的に画定されており、チューニング・エレメントを受け入れるように構成されており、スロット開口部からスロット・ベースへ延在するスロットを有しており、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記第１のリア壁部カーブは、前記第１の方向に凸状であり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記ストライクフェイスは、前記リア壁部よりも前記フロント壁部の近くに位置しており、
前記スロット開口部から前記スロット・ベースまでの距離が、前記フロント壁部から前記リア壁部までの距離よりも大きい、ゴルフクラブヘッド。
【請求項２】
前記第１のフロント壁部カーブは、第１の半径を有する第１の円形の一部分を含み、
前記第１のリア壁部カーブは、第２の半径を有する第２の円形の一部分を含み、
前記第１の円形および前記第２の円形は、おおよそ同心円状になっている、請求項１に記載のゴルフクラブヘッド。
【請求項３】
前記第２の半径は、前記第１の半径よりも小さい、請求項２に記載のゴルフクラブヘッド。
【請求項４】
前記第２の半径は、約１．２７ｃｍから約３．８１ｃｍである、請求項２または３に記載のゴルフクラブヘッド。
【請求項５】
前記バックフェイスは、少なくとも部分的に凹形である、請求項１から４のいずれか一項に記載のゴルフクラブヘッド。
【請求項６】
前記ヒール壁部と前記トウ壁部との間の前記フロント壁部の中間部分は、前記第１の方向に沿って、前記ヒール壁部と前記トウ壁部との間の前記リア壁部の中間部分からおおよそ一定の距離である、請求項１から５のいずれか一項に記載のゴルフクラブヘッド。
【請求項７】
前記フロント壁部は、前記第１の方向に対して垂直であるとともに前記ヒール壁部と前記トウ壁部との間を伸びる第２の方向に沿って、第２のフロント壁部カーブを含む、請求項１から６のいずれか一項に記載のゴルフクラブヘッド。
【請求項８】
前記リア壁部は、前記第１の方向に対して垂直であるとともに前記ヒール壁部と前記トウ壁部との間を伸びる第２の方向に沿って、おおよそ真っ直ぐになっている、請求項１から６のいずれか一項に記載のゴルフクラブヘッド。
【請求項９】
前記フロント壁部は、前記ヒール壁部および前記トウ壁部において、前記ヒール壁部と前記トウ壁部との間の中間点よりも、前記リア壁部から短い距離である、請求項１から８のいずれか一項に記載のゴルフクラブヘッド。
【請求項１０】
前記ヒール壁部は、前記リア壁部に対して９０度よりも大きい角度であり、
前記トウ壁部は、前記リア壁部に対して９０度よりも大きい角度である、請求項１から９のいずれか一項に記載のゴルフクラブヘッド。
【請求項１１】
前記ストライクフェイスと前記フロント壁部との間の距離は、前記スロット開口部よりも前記スロット・ベースにおいて、大きくなっている、請求項１から１０のいずれか一項に記載のゴルフクラブヘッド。
【請求項１２】
前記ポート構造部は、前記スロット開口部において、前記フロント壁部、前記リア壁部、前記ヒール壁部、および前記トウ壁部を越えて延在するキャップ凹部を含む、請求項１から１１のいずれか一項に記載のゴルフクラブヘッド。
【請求項１３】
ゴルフクラブヘッドであって、
ストライク部分と、リア部分と、ポート構造部と、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記リア部分は、前記ストライク部分のボトム・エンドにおいて前記ストライク部分に連結されており、
前記ポート構造部は、前記リア部分の中に少なくとも部分的に画定されており、スロット開口部からスロット・ベースへ延在するスロットを有しており、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記第１のリア壁部カーブは、前記第１の方向に凸状であり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記ストライクフェイスは、前記リア壁部よりも前記フロント壁部の近くに位置しており、
前記スロット開口部から前記スロット・ベースまでの距離が、前記フロント壁部から前記リア壁部までの距離よりも大きく、
前記第１のフロント壁部カーブは、第１の半径を有する第１の円形の一部分を含み、
前記第１のリア壁部カーブは、第２の半径を有する第２の円形の一部分を含み、
前記第１の円形および前記第２の円形は、おおよそ同心円状になっている、ゴルフクラブヘッド。
【請求項１４】
前記第２の半径は、前記第１の半径よりも小さい、請求項１３に記載のゴルフクラブヘッド。
【請求項１５】
前記第２の半径は、約１．２７ｃｍから約３．８１ｃｍである、請求項１３または１４に記載のゴルフクラブヘッド。
【手続補正２】
【補正対象書類名】明細書
【補正対象項目名】００８９
【補正方法】変更
【補正の内容】
【００８９】
さらに、本明細書で開示された実施形態および限定は、実施形態および／または限定が、（１）請求項において明示的に請求されていない場合、および、（２）均等物の原則の下での請求項における明示的な要素および／もしくは限定である、または、そのような要素および／もしくは限定と潜在的に均等である場合、公有の原則において公衆に捧げられるものではない。
以下の項目は、本願出願時の特許請求の範囲に記載の要素である。
（項目１）
ゴルフクラブヘッドであって、
ストライク部分と、リア部分と、ポート構造部と、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記リア部分は、前記ストライク部分のボトム・エンドにおいて前記ストライク部分に連結されており、
前記ポート構造部は、前記リア部分の中に少なくとも部分的に画定されており、スロット開口部からスロット・ベースへ延在するスロットを有しており、
前記ストライク部分の前記ボトム・エンドは、前記スロット開口部よりも前記スロット・ベースの近くに位置しており、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記ストライクフェイスは、前記リア壁部よりも前記フロント壁部の近くに位置する、ゴルフクラブヘッド。
（項目２）
前記第１のフロント壁部カーブは、第１の半径を有する第１の円形の一部分を含み、
前記第１のリア壁部カーブは、第２の半径を有する第２の円形の一部分を含み、
前記第１の円形および前記第２の円形は、おおよそ同心円状になっている、項目１に記載のゴルフクラブヘッド。
（項目３）
前記第２の半径は、前記第１の半径よりも小さい、項目２に記載のゴルフクラブヘッド。
（項目４）
前記第２の半径は、約１．２７ｃｍから約３．８１ｃｍである、項目２または３に記載のゴルフクラブヘッド。
（項目５）
前記バックフェイスは、少なくとも部分的に凹形である、項目１から４のいずれか一項に記載のゴルフクラブヘッド。
（項目６）
前記ヒール壁部と前記トウ壁部との間の前記フロント壁部の中間部分は、前記第１の方向に沿って、前記ヒール壁部と前記トウ壁部との間の前記リア壁部の中間部分からおおよそ一定の距離である、項目１から５のいずれか一項に記載のゴルフクラブヘッド。
（項目７）
前記フロント壁部は、前記第１の方向に対して垂直であるとともに前記ヒール壁部と前記トウ壁部との間を伸びる第２の方向に沿って、第２のフロント壁部カーブを含む、項目１から６のいずれか一項に記載のゴルフクラブヘッド。
（項目８）
前記リア壁部は、前記第１の方向に対して垂直であるとともに前記ヒール壁部と前記トウ壁部との間を伸びる第２の方向に沿って、おおよそ真っ直ぐになっている、項目１から６のいずれか一項に記載のゴルフクラブヘッド。
（項目９）
前記フロント壁部は、前記ヒール壁部および前記トウ壁部において、前記ヒール壁部と前記トウ壁部との間の中間点よりも、前記リア壁部から短い距離である、項目１から８のいずれか一項に記載のゴルフクラブヘッド。
（項目１０）
前記ヒール壁部は、前記リア壁部に対して９０度よりも大きい角度であり、
前記トウ壁部は、前記リア壁部に対して９０度よりも大きい角度である、項目１から９のいずれか一項に記載のゴルフクラブヘッド。
（項目１１）
前記ストライクフェイスと前記フロント壁部との間の距離は、前記スロット開口部よりも前記スロット・ベースにおいて、大きくなっている、項目１から１０のいずれか一項に記載のゴルフクラブヘッド。
（項目１２）
前記ポート構造部は、前記スロット開口部において、前記フロント壁部、前記リア壁部、前記ヒール壁部、および前記トウ壁部を越えて延在するキャップ凹部を含む、項目１から１１のいずれか一項に記載のゴルフクラブヘッド。
（項目１３）
前記ポート構造部の中に、前記ポート構造部と実質的に一致して位置するチューニング・エレメントをさらに備える、項目１から１２のいずれか一項に記載のゴルフクラブヘッド。
（項目１４）
前記チューニング・エレメントは、約２．５４ｃｍから約７．６２ｃｍのヒール・トゥー・トウ長さを含む、項目１３に記載のゴルフクラブヘッド。
（項目１５）
前記チューニング・エレメントは、約０．２５４ｃｍから約２．５４ｃｍの高さを含む、項目１３または１４に記載のゴルフクラブヘッド。
（項目１６）
前記チューニング・エレメントは、フロント・トゥー・リア厚さを含み、
前記ヒール壁部および前記トウ壁部における前記フロント・トゥー・リア厚さは、前記ヒール壁部と前記トウ壁部との間の中間点における前記フロント・トゥー・リア厚さよりも小さくなっており、
前記ヒール壁部および前記トウ壁部における前記フロント・トゥー・リア厚さは、約０．０６３５ｃｍ以上になっており、
前記ヒール壁部と前記トウ壁部との間の前記中間点における前記フロント・トゥー・リア厚さは、約１．２７ｃｍ以下になっている、項目１３から１５のいずれか一項に記載のゴルフクラブヘッド。
（項目１７）
前記チューニング・エレメントは、前記スロットを越えて延在するキャップを含み、前記キャップは、前記フロント壁部、前記リア壁部、前記ヒール壁部、および前記トウ壁部を越えて延在する前記スロット開口部において、キャップ凹部の中に着座させられる、項目１３から１６のいずれか一項に記載のゴルフクラブヘッド。
（項目１８）
前記チューニング・エレメントは、１つの配向にだけ、前記ポート構造部の中へ挿入され得る、項目１３から１７のいずれか一項に記載のゴルフクラブヘッド。
（項目１９）
前記チューニング・エレメントは、前記リア部分または前記ストライク部分とは異なる材料を含む、項目１３から１８のいずれか一項に記載のゴルフクラブヘッド。
（項目２０）
ゴルフクラブヘッドを提供する方法であって、
ストライク部分を提供するステップと、
前記ストライク部分のボトム・エンドにおいて前記ストライク部分に連結されているリア部分を提供するステップと、
ポート構造部を提供するステップと、
チューニング・エレメントを前記ポート構造部に連結するステップと、を備えており、
前記ストライク部分は、
ストライクフェイスと、
前記ストライクフェイスの反対側のバックフェイスであって、バックフェイスのトップ・エンドに周囲部分を含む、バックフェイスと、を有しており、
前記ポート構造部は、前記リア部分の中に少なくとも部分的に画定されており、スロット開口部からスロット・ベースへ延在するスロットを有しており、
前記ストライク部分の前記ボトム・エンドは、前記スロット開口部よりも前記スロット・ベースの近くに位置し、
前記スロットは、
ヒール壁部と、
トウ壁部と、
リア壁部と、
フロント壁部と、を有しており、
前記リア壁部は、前記スロット開口部から前記スロット・ベースへ延在しており、前記ヒール壁部と前記トウ壁部との間に延在しており、前記スロット開口部と前記スロット・ベースとの間を伸びる第１の方向に沿って、第１のリア壁部カーブを含んでおり、
前記フロント壁部は、前記スロット開口部から前記スロット・ベースへ延在しており、前記ヒール壁部と前記トウ壁部との間に延在しており、前記第１の方向に沿って、第１のフロント壁部カーブを含んでおり、
前記ストライクフェイスは、前記リア壁部よりも前記フロント壁部の近くに位置する、ゴルフクラブヘッドを提供する方法。
【外国語明細書】
2018149338000001.pdf
2018149338000002.pdf
2018149338000003.pdf
2018149338000004.pdf